(57)【要約】【課題】システム間ハンドオーバにおいてユーザのＱｏＥの劣化を防ぐこと。【解決手段】本発明の装置は、第１無線通信システム内で端末装置が使用するネットワークスライスに関するネットワークスライス関連情報を取得する情報取得部と、第１無線通信システムから第２無線通信システムへの端末装置のシステム間ハンドオーバのためのメッセージであって、上記ネットワークスライス関連情報を含む当該メッセージを、上記第２無線通信システムの第２ネットワークノードに送信する第１通信処理部と、を備える。
2020079968.tif 000002
【特許請求の範囲】
【請求項１】
第１無線通信システムの第１ネットワークノードであって、
前記第１無線通信システム内で端末装置が使用するネットワークスライスに関するネットワークスライス関連情報を取得する情報取得部と、
前記第１無線通信システムから第２無線通信システムへの端末装置のシステム間ハンドオーバのためのメッセージであって、前記ネットワークスライス関連情報を含む当該メッセージを、前記第２無線通信システムの第２ネットワークノードに送信する第１通信処理部と、
を備える第１ネットワークノード。
【請求項２】
前記ネットワークスライス関連情報は、前記ネットワークスライスの識別情報、前記ネットワークスライスに属する通信フローに割り当てられたＱｏＳ（Ｑｕａｌｉｔｙ  ｏｆ  Ｓｅｒｖｉｃｅ）を示す品質情報、及び、前記ネットワークスライスの使用に関する使用情報、のうちいずれか１つ以上の情報を含む、請求項１に記載の第１ネットワークノード。
【請求項３】
前記使用情報は、前記ネットワークスライスが使用された累積時間を示す累積使用情報、及び、ハンドオーバ前の所定期間において前記ネットワークスライスが使用された時間を示す期間使用情報、のうちいずれか１つ以上の情報を含む、請求項２に記載の第１ネットワークノード。
【請求項４】
前記システム間ハンドオーバは、前記第１無線通信システムのソースセルから前記第２無線通信システムのターゲットセルへのハンドオーバであり、
前記メッセージは、前記ソースセルからのハンドオーバの履歴に関するハンドオーバ履歴情報を含む、請求項１〜３のいずれか１項に記載の第１ネットワークノード。
【請求項５】
前記ハンドオーバ履歴情報は、前記ソースセルから前記ソースセルの近隣セルへのハンドオーバの成功率を示す成功率情報を含む、請求項４に記載の第１ネットワークノード。
【請求項６】
前記ハンドオーバ履歴情報は、前記ソースセルの複数の近隣セルの各々について、複数の前記成功率情報を含む、請求項５に記載の第１ネットワークノード。
【請求項７】
前記ハンドオーバ履歴情報は、前記第１無線通信システムの無線アクセスネットワーク内のノードから受信する、請求項４〜６のいずれか１項に記載の第１ネットワークノード。
【請求項８】
前記第１無線通信システムは、５Ｇシステムであり、
前記第２無線通信システムは、ＥＰＳ（Ｅｖｏｌｖｅｄ  Ｐａｃｋｅｔ  Ｓｙｓｔｅｍ）である、
請求項１〜７のいずれか１項に記載の第１ネットワークノード。
【請求項９】
前記第１ネットワークノードは、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）であり、
前記第２ネットワークノードは、ＭＭＥ（Ｍｏｂｉｌｉｔｙ  Ｍａｎａｇｅｍｅｎｔ  Ｅｎｔｉｔｙ）である、
請求項１〜８のいずれか１項に記載の第１ネットワークノード。
【請求項１０】
前記メッセージは、Ｆｏｒｗａｒｄ  Ｒｅｌｏｃａｔｉｏｎ  Ｒｅｑｕｅｓｔメッセージである、請求項１〜９のいずれか１項に記載の第１ネットワークノード。
【請求項１１】
第２無線通信システムの第２ネットワークノードであって、
第１無線通信システムから前記第２無線通信システムへの端末装置のシステム間ハンドオーバのためのメッセージであって、前記第１無線通信システム内で前記端末装置が使用するネットワークスライスに関するネットワークスライス関連情報を含む当該メッセージを、前記第１無線通信システムの第１ネットワークノードから受信する通信処理部と、
前記ネットワークスライス関連情報に基づいて、前記第２無線通信システム内で前記端末装置が使用するコアネットワークを選択するネットワーク選択部と、
を備える第２ネットワークノード。
【請求項１２】
前記システム間ハンドオーバは、前記第１無線通信システムのソースセルから前記第２無線通信システムのターゲットセルへのハンドオーバであり、
前記メッセージは、前記ソースセルからのハンドオーバの履歴に関するハンドオーバ履歴情報を含み、
前記ネットワーク選択部は、前記ネットワークスライス関連情報と前記ハンドオーバ履歴情報とに基づいて、前記第２無線通信システム内で前記端末装置が使用するコアネットワークを選択する、
請求項１１に記載の第２ネットワークノード。
【請求項１３】
第１無線通信システムの第１ネットワークノードの通信方法であって、
前記第１無線通信システム内で端末装置が使用するネットワークスライスに関するネットワークスライス関連情報を取得し、
前記第１無線通信システムから第２無線通信システムへの端末装置のシステム間ハンドオーバのためのメッセージであって、前記ネットワークスライス関連情報を含む当該メッセージを、前記第２無線通信システムの第２ネットワークノードに送信する、
ことを含む第１ネットワークノードの通信方法。
【請求項１４】
第２無線通信システムの第２ネットワークノードの通信方法であって、
第１無線通信システムから前記第２無線通信システムへの端末装置のシステム間ハンドオーバのためのメッセージであって、前記第１無線通信システム内で前記端末装置が使用するネットワークスライスに関するネットワークスライス関連情報を含む当該メッセージを、前記第１無線通信システムの第１ネットワークノードから受信し、
前記ネットワークスライス関連情報に基づいて、前記第２無線通信システム内で前記端末装置が使用するコアネットワークを選択する、
ことを含む第２ネットワークノードの通信方法。
【請求項１５】
第１無線通信システムの第１ネットワークノードのプログラムであって、
前記第１無線通信システム内で端末装置が使用するネットワークスライスに関するネットワークスライス関連情報を取得し、
前記第１無線通信システムから第２無線通信システムへの端末装置のシステム間ハンドオーバのためのメッセージであって、前記ネットワークスライス関連情報を含む当該メッセージを、前記第２無線通信システムの第２ネットワークノードに送信する、
ことをプロセッサに実行させるためのプログラム。
【請求項１６】
第２無線通信システムの第２ネットワークノードのプログラムであって、
第１無線通信システムから前記第２無線通信システムへの端末装置のシステム間ハンドオーバのためのメッセージであって、前記第１無線通信システム内で前記端末装置が使用するネットワークスライスに関するネットワークスライス関連情報を含む当該メッセージを、前記第１無線通信システムの第１ネットワークノードから受信し、
前記ネットワークスライス関連情報に基づいて、前記第２無線通信システム内で前記端末装置が使用するコアネットワークを選択する、
ことをプロセッサに実行させるためのプログラム。
【請求項１７】
第１無線通信システムの第１ネットワークノードのプログラムを記録したコンピュータ読み取り可能な非一時的記録媒体であって、
前記第１無線通信システム内で端末装置が使用するネットワークスライスに関するネットワークスライス関連情報を取得し、
前記第１無線通信システムから第２無線通信システムへの端末装置のシステム間ハンドオーバのためのメッセージであって、前記ネットワークスライス関連情報を含む当該メッセージを、前記第２無線通信システムの第２ネットワークノードに送信する、
ことをプロセッサに実行させるプログラムを記録したコンピュータ読み取り可能な非一時的記録媒体。
【請求項１８】
第２無線通信システムの第２ネットワークノードのプログラムを記録したコンピュータ読み取り可能な非一時的記録媒体であって、
第１無線通信システムから前記第２無線通信システムへの端末装置のシステム間ハンドオーバのためのメッセージであって、前記第１無線通信システム内で前記端末装置が使用するネットワークスライスに関するネットワークスライス関連情報を含む当該メッセージを、前記第１無線通信システムの第１ネットワークノードから受信し、
前記ネットワークスライス関連情報に基づいて、前記第２無線通信システム内で前記端末装置が使用するコアネットワークを選択する、
ことをプロセッサに実行させるプログラムを記録したコンピュータ読み取り可能な非一時的記録媒体。
【発明の詳細な説明】
【技術分野】
【０００１】
本発明は、無線通信システムにおけるネットワークノード、その通信方法、プログラム、及び、記録媒体に関する。
【背景技術】
【０００２】
現在、３ＧＰＰ（3rd  Generation  Partnership  Project）では、第５世代移動通信システム（以下、５Ｇシステム）のシステムアーキテクチャ及び５Ｇコアネットワーク（以下、５ＧＣ：5G  Core  Network）の検討が進んでいる。特に、ネットワークアーキテクチャ仕様（非特許文献１：３ＧＰＰ  ＴＳ２３．５０１、非特許文献２：３ＧＰＰ  ＴＳ２３．５０２）においてネットワークスライス化（Network  Slicing）の技術が検討されている。ネットワークスライス化は、同一のネットワーク物理設備を論理的（仮想的）に分割することにより、分割した論理的な設備（仮想資源）を組み合わせてネットワークスライス（又は、スライス）という論理的な通信網を構成する技術である（非特許文献１，２）。【０００３】
ネットワークスライスは、特定の能力や特性を有するネットワークとして用意される論理的なネットワークである。ＵＥ（User  Equipment）が求めるサービスに応じて、１つ以上のネットワークスライスを選択して利用することができる。特に、映像配信等の大容量モバイルブロードバンド通信（ｅＭＢＢ：enhanced  Mobile  Broadband）、自動運転等の超低遅延高信頼性通信（ＵＲＬＬＣ：Ultra  Reliable  Low  Latency  Communications）、及び、ＩｏＴ等の多数同時接続（ｍＭＴＣ：massive  Machine  Type  Communications)など、様々な通信特性のトラヒックを所望のネットワークスライスに振り分けることが可能である。【０００４】
一方、第４世代移動通信システム（以下、４Ｇシステム）は、ＥＰＣ（Evolved  Packet Core）と呼ばれるコアネットワークを有している。ＥＰＣは、１以上の特定用途向けの専用コアネットワーク(ＤＣＮ：Dedicated  Core  Network）を有することがあり、様々なトラヒックをそのトラヒックに応じたネットワークに振り分けることができる（非特許文献３）。【０００５】
図１１は、５ＧＣ１００１とＥＰＣ１００２とを含むシステムの概要図である。５ＧＣ１００１は１以上のネットワークスライスを含み、ＥＰＣ１００２は１以上のＤＣＮを含む。ＵＥは、５Ｇシステム及び４Ｇシステムを利用することができる場合、システム間ハンドオーバを行うことができる。さらに、ＵＥは、ＵＥのトラヒックに応じた５ＧＣ１００１のネットワークスライス又はＥＰＣ１００２のＤＣＮを使用することができる。
【先行技術文献】
【非特許文献】
【０００６】
【非特許文献１】3GPP  TS23.501  V15.3.0  (2018-09)
【非特許文献２】3GPP  TS23.502  V15.3.0  (2018-09)
【非特許文献３】3GPP  TS23.401  V16.0.0  (2018-09)
【発明の概要】
【発明が解決しようとする課題】
【０００７】
しかし、所定のネットワークスライスを使用しているＵＥが、他のシステムへシステム間ハンドオーバを行う際、ハンドオーバ先の他のシステムがネットワークスライス機能をサポートしない場合に、他のシステムは適切なネットワークを選択できない可能性がある。他のシステムが適切なネットワークを選択できない場合、ＵＥのトラヒックに適さないネットワークをＵＥが使用することになり、ユーザの体感品質（ＱｏＥ：quality  of  experience）が劣化してしまう可能性がある。【０００８】
本発明の目的は、上述した課題を鑑み、システム間ハンドオーバ後にＵＥのトラヒックに適したネットワークを選択可能にするネットワークノード、その通信方法、プログラム、及び、記録媒体を提供することにある。
【課題を解決するための手段】
【０００９】
本発明の第１ネットワークノードは、第１無線通信システム内で端末装置が使用するネットワークスライスに関するネットワークスライス関連情報を取得する情報取得部と、第１無線通信システムから第２無線通信システムへの端末装置のシステム間ハンドオーバのためのメッセージであって、上記ネットワークスライス関連情報を含む当該メッセージを、上記第２無線通信システムの第２ネットワークノードに送信する第１通信処理部と、を備える。【００１０】
本発明の第２ネットワークノードは、第１無線通信システムから第２無線通信システムへの端末装置のシステム間ハンドオーバのためのメッセージであって、上記第１無線通信システム内で上記端末装置が使用するネットワークスライスに関するネットワークスライス関連情報を含む当該メッセージを、上記第１無線通信システムの第１ネットワークノードから受信する通信処理部と、上記ネットワークスライス関連情報に基づいて、上記第２無線通信システム内で上記端末装置が使用するコアネットワークを選択するネットワーク選択部と、を備える。【００１１】
本発明の第１の方法は、第１無線通信システム内で端末装置が使用するネットワークスライスに関するネットワークスライス関連情報を取得し、上記第１無線通信システムから第２無線通信システムへの端末装置のシステム間ハンドオーバのためのメッセージであって、上記ネットワークスライス関連情報を含む当該メッセージを、上記第２無線通信システムの第２ネットワークノードに送信する、ことを備える。【００１２】
本発明の第２の方法は、第１無線通信システムから第２無線通信システムへの端末装置のシステム間ハンドオーバのためのメッセージであって、上記第１無線通信システム内で上記端末装置が使用するネットワークスライスに関するネットワークスライス関連情報を含む当該メッセージを、上記第１無線通信システムの第１ネットワークノードから受信し、上記ネットワークスライス関連情報に基づいて、上記第２無線通信システム内で上記端末装置が使用するコアネットワークを選択する、ことを備える。【００１３】
本発明の第１のプログラムは、第１無線通信システム内で端末装置が使用するネットワークスライスに関するネットワークスライス関連情報を取得し、上記第１無線通信システムから第２無線通信システムへの端末装置のシステム間ハンドオーバのためのメッセージであって、上記ネットワークスライス関連情報を含む当該メッセージを、上記第２無線通信システムの第２ネットワークノードに送信する、ことをプロセッサに実行させる。【００１４】
本発明の第２のプログラムは、第１無線通信システムから第２無線通信システムへの端末装置のシステム間ハンドオーバのためのメッセージであって、上記第１無線通信システム内で上記端末装置が使用するネットワークスライスに関するネットワークスライス関連情報を含む当該メッセージを、上記第１無線通信システムの第１ネットワークノードから受信し、上記ネットワークスライス関連情報に基づいて、上記第２無線通信システム内で上記端末装置が使用するコアネットワークを選択する、ことをプロセッサに実行させる。【００１５】
本発明の第１の記録媒体は、第１無線通信システム内で端末装置が使用するネットワークスライスに関するネットワークスライス関連情報を取得し、上記第１無線通信システムから第２無線通信システムへの端末装置のシステム間ハンドオーバのためのメッセージであって、上記ネットワークスライス関連情報を含む当該メッセージを、上記第２無線通信システムの第２ネットワークノードに送信する、ことをプロセッサに実行させるプログラムを記録したコンピュータ読み取り可能な非一時的記録媒体である。【００１６】
本発明の第２の記録媒体は、第１無線通信システムから第２無線通信システムへの端末装置のシステム間ハンドオーバのためのメッセージであって、上記第１無線通信システム内で上記端末装置が使用するネットワークスライスに関するネットワークスライス関連情報を含む当該メッセージを、上記第１無線通信システムの第１ネットワークノードから受信し、上記ネットワークスライス関連情報に基づいて、上記第２無線通信システム内で上記端末装置が使用するコアネットワークを選択する、ことをプロセッサに実行させるプログラムを記録したコンピュータ読み取り可能な非一時的記録媒体である。
【発明の効果】
【００１７】
本発明によれば、無線通信システムにおけるシステム間ハンドオーバ後に、ＵＥのトラヒックに適したネットワークを選択することが可能となり、ユーザのＱｏＥの劣化を防ぐことが可能となる。
【図面の簡単な説明】
【００１８】
【図１】第１の実施形態に係るシステム１の構成を示す図。
【図２】第１の実施形態に係る階層化セル構成を示す図。
【図３】第１の実施形態に係る第１ネットワークノード２００を示す図。
【図４】第１の実施形態に係る第２ネットワークノード３００を示す図。
【図５】第１の実施形態の技術的特徴を示すシーケンス図。
【図６】ネットワークスライス関連情報５００の例を示す図。
【図７】５ＧＣとＥＰＣとの相互接続におけるアーキテクチャを示す概略図。
【図８】システム間ハンドオーバ手順の一部を示すシーケンス図。
【図９】ＵＥ１０が属するセル１−１及びセル１−１の近隣セルを示す図。
【図１０】ハンドオーバ履歴情報９００の例を示す図。
【図１１】５ＧＣ１００１とＥＰＣ１００２とを含むシステムの概要図。
【図１２】第２の実施形態に係る第１ネットワークノード２００と第２ネットワークノード３００を示す図。
【図１３】第２の実施形態に係る第１ネットワークノード２００を示す図。
【図１４】第２の実施形態に係る第２ネットワークノード３００を示す図。
【発明を実施するための形態】
【００１９】
以下、添付の図面を参照して本発明の実施形態を詳細に説明する。なお、本明細書及び図面において、同様に説明されることが可能な要素については、同一の符号を付することにより重複説明が省略され得る。
【００２０】
説明は、以下の順序で行われる。
１．  本発明の実施形態の概要
２．  第１の実施形態
２．１  システムの構成
２．２  第１ネットワークノード２００の構成
２．３  第２ネットワークノード３００の構成
２．４  技術的特徴
２．５  変形例
３．  第２の実施形態
３．１  システム構成
３．２  第１ネットワークノード２００の構成
３．３  第２ネットワークノード３００の構成
３．４  技術的特徴
４．  その他の実施形態
【００２１】
＜＜１．  本発明の実施形態の概要＞＞
（１）  技術的課題
端末装置は、複数の通信システムを使用できる場合がある。当該通信システムは、アクセスネットワークとその上位ネットワークとで構成されることがある。この上位ネットワークは１以上の部分ネットワークを有することがあり、当該部分ネットワークはそれぞれ所定の通信要件を満たす所定のネットワーク特性を持つように設計され得る。
【００２２】
端末装置は、それぞれの通信システムにおいて所定のネットワーク特性を備える部分ネットワークを使用することができる。ところが、一方の通信システムの部分ネットワークと、他方の通信システムの部分ネットワークとは、それぞれ異なるネットワーク特性を有することがあり得る。そのため、端末装置が通信システムの変更を行う場合、端末装置が変更元の通信システムで使用していた部分ネットワークと同様のネットワーク特性を有する部分ネットワークが、変更先の通信システムにおいて存在するとは限らない。
【００２３】
そうすると、端末装置は、変更先の通信システムにおいて所望の部分ネットワークを使用できない場合、端末装置のトラヒックに適さないネットワークを使用することになる。その結果、ユーザの体感品質が劣化してしまう可能性がある。
【００２４】
（２）  技術的特徴
したがって、本発明の技術的特徴は、通信システムの変更を行う場合、変更元通信システムのノードが、変更元通信システム内で端末装置が使用する部分ネットワークに関する情報を通信システムの変更のためのメッセージに含めて変更先通信システムのノードに送信することにある。さらに、変更先通信システムのノードが上記メッセージを受信し、変更元通信システム内で端末装置が使用していた部分ネットワークに関する情報に基づいて、変更先通信システムで端末装置が使用する部分ネットワークを選択することにある。
【００２５】
これにより、変更先通信システムのノードは、端末装置に適した部分ネットワークを選択することができ、ユーザのＱｏＥの劣化を抑制することが可能となる。
【００２６】
なお、上述した技術的特徴は本発明の実施形態の概要であり、当然ながら、本発明の実施形態は上述した技術的特徴に限定されない。
【００２７】
＜＜２．  第１の実施形態＞＞
図１〜図１０を参照し、第１の実施形態を説明する。
【００２８】
＜２．１  システムの構成＞
図１を参照して、第１の実施形態に係るシステム１の構成の例を説明する。図１に示すように、システム１は、第１無線通信システム２及び第２無線通信システム３を含む。当該２つの無線通信システムはインタフェース４によって相互接続されている。
【００２９】
例えば、システム１の第１無線通信システム２は３ＧＰＰ（3rd  Generation  Partnership  Project）の規格に準拠したシステムである。より具体的には、第１無線通信システム２は５Ｇシステムである。また、例えば、システム１の第２無線通信システム３は３ＧＰＰの規格に準拠したシステムである。より具体的には、第２無線通信システム３は４Ｇシステムである。あるいは、第１無線通信システム２又は第２無線通信システム３は３ＧＰＰに非準拠のシステムであってもよい。当然ながら、システム１の構成はこの例に限定されない。
【００３０】
（１）  第１無線通信システム２
第１無線通信システム２は、第１コアネットワーク２０、第１基地局４０、及び、ＵＥ１０を含む。第１コアネットワーク２０は、無線アクセスネットワークからの通信を他のネットワークに転送するためのネットワークである。例えば、第１コアネットワーク２０は、３ＧＰＰに準拠したコアネットワークである。より具体的には、第１コアネットワーク２０は５ＧＣ（5G  Core  Network）であり得る。
【００３１】
第１コアネットワーク２０は、１以上の部分ネットワークを有してもよい。当該部分ネットワークは、論理的に構成されたネットワークでもよく、物理的に構成されたネットワークでもよい。あるいは、論理的に構成されたネットワークと物理的に構成されたネットワークを組み合わせたネットワークでもよい。
【００３２】
より具体的には、第１の実施形態において、第１コアネットワーク２０は１以上のネットワークスライス２１〜２３を有する。当該ネットワークスライス２１〜２３は、特定の能力、目的、又は、特性を有するネットワークであって、論理的に構成されたネットワークである。
【００３３】
なお、図１には３つのネットワークスライス２１〜２３が示されているが、ネットワークスライスの数はこの例に限られない。また、第１コアネットワーク２０内のネットワークは、ネットワークスライスと非ネットワークスライスとの組み合わせであり得る。さらに、第１コアネットワーク２０はネットワークスライスを有しない場合もあり得る。
【００３４】
ネットワークスライス２１〜２３には、それぞれ異なる通信要件を満たすネットワーク特性が設定されており、例えば、ネットワークスライス２１には高速大容量のｅＭＢＢ、ネットワークスライス２２には高信頼低遅延のＵＲＬＬＣ、及び、ネットワークスライス２３には多数同時接続のＭＩｏＴ、がそれぞれ対応付けられている。例えばｅＭＢＢの特性は、高解像度ストリーミングやブロードバンド向けサービスなどに使用されてよい。例えばＵＲＬＬＣの特性は、自動運転や遠隔手術などのサービスなどに使用されてよい。例えばＭＩｏＴの特性は、スマートメータやセンサデバイスを利用したサービスなどに使用されてよい。
【００３５】
また、第１コアネットワーク２０は、１以上の第１ネットワークノード２００を有する。当該１以上の第１ネットワークノード２００は、特定のネットワークスライスに含まれてもよいし含まれなくてもよい。第１ネットワークノード２００は、ＵＥ１０が第１コアネットワーク２０を使用するための所定の管理を行う。例えば、第１ネットワークノード２００は、３ＧＰＰに準拠した管理機能を有する。より具体的には、第１ネットワークノード２００は、５ＧシステムのＡＭＦ（Access  and  Mobility  Function）であってよい。
【００３６】
（２）  第２無線通信システム３
第２無線通信システム３は、第２コアネットワーク３０、第２基地局５０、及び、ＵＥ１０を含む。第２コアネットワーク３０は、無線アクセスネットワークからの通信を他のネットワークに転送するためのネットワークである。例えば、第２コアネットワーク３０は、３ＧＰＰに準拠したコアネットワークである。より具体的には、第２コアネットワーク３０はＥＰＣ（Evolved  Packet  Core）であり得る。
【００３７】
第２コアネットワーク３０は、１以上の部分ネットワークを有してもよい。当該部分ネットワークは、論理的に構成されたネットワークでもよく、物理的に構成されたネットワークでもよい。あるいは、論理的に構成されたネットワークと物理的に構成されたネットワークを組み合わせたネットワークでもよい。
【００３８】
より具体的には、第１の実施形態において、第２コアネットワーク３０は１以上の特定用途向けの専用コアネットワークＤＣＮ(Dedicated  Core  Network）３１〜３３である。ＤＣＮ３１〜３３は、特定の能力、目的、又は、特性を有するネットワークである。ＤＣＮ３１〜３３は、論理的なネットワークであってもよいし、物理的なネットワークであってもよい。
【００３９】
なお、図１には３つのＤＣＮ３１〜３３が示されているが、ＤＣＮの数はこの例に限られない。また、第２コアネットワーク３０内のネットワークは、ＤＣＮと非ＤＣＮとの組み合わせであり得る。さらに、第２コアネットワーク３０はＤＣＮを有しない場合もあり得る。
【００４０】
ＤＣＮ３１〜３３には、それぞれ異なる通信要件を満たすネットワーク特性が設定されており、例えば、ＤＣＮ３１には「高速」、ＤＣＮ３２には「低遅延」、ＤＣＮ３３には「多接続」に対応するネットワーク特性がそれぞれ対応付けられている。例えば「高速」の特性は、高解像度ストリーミングやブロードバンド向けサービスなどに使用されてよい。例えば「低遅延」の特性は、自動運転や遠隔手術などのサービスなどに使用されてよい。例えば「多接続」の特性は、スマートメータやセンサデバイスを利用したサービスなどに使用されてよい。
【００４１】
また、第２コアネットワーク３０は、１以上の第２ネットワークノード３００を有する。当該１以上の第２ネットワークノード３００は、特定のＤＣＮに含まれてもよいし含まれなくてもよい。第２ネットワークノード３００は、ＵＥ１０が第２コアネットワーク３０を使用するための所定の管理を行う。例えば、第２ネットワークノード３００は、３ＧＰＰに準拠した管理機能を有する。より具体的には、第２ネットワークノード３００は、４ＧシステムのＭＭＥ（Mobility  Management  Entity）であってよい。
【００４２】
（３）  インタフェース４
第１無線通信システム２と第２無線通信システム３とは、所定のインタフェース４を使用して相互接続される。例えば、所定のインタフェース４は３ＧＰＰに準拠したインタフェースであってもよく、３ＧＰＰに非準拠のインタフェースであってもよい。より具体的には、第１の実施形態において、所定のインタフェース４は３ＧＰＰの規格に準拠した「Ｎ２６インタフェース」である。なお、所定のインタフェース４の態様はこの例に限られない。所定のインタフェース４は、第１無線通信システム２と第２無線通信システム３とを直接接続されたものであってもよく、間接的に接続されたものであってもよい。
【００４３】
（４）  第１基地局４０及び第２基地局５０
第１基地局４０は、第１無線通信システム２の無線アクセスネットワーク内のノードであり、セル１−１内に位置するＵＥ１０との無線通信を行う。一方、第２基地局５０は、第２無線通信システム３の無線アクセスネットワーク内のノードであり、セル２−１内に位置するＵＥ１０との無線通信を行う。第１基地局４０及び第２基地局５０は複数のユニット（又は複数のノード）から構成されてもよい。
【００４４】
例えば、第１基地局４０及び第２基地局５０は、３ＧＰＰに準拠した基地局である。より具体的には、第１基地局４０は５Ｇ／ＮＲ（New  Radio）の基地局（RAN Node）であってよい。５Ｇの基地局は、例えばｇＮＢと呼ばれる基地局であってよい。また、第２基地局５０はＬＴＥ／Ｅ−ＵＴＲＡＮのｅＮＢ（Evolved  Node B）であってよい。当然ながら、第１基地局４０及び第２基地局５０はこの例に限定されない。
【００４５】
近年のデータ通信のトラヒックの増加に伴い、カバレッジを確保することを目的とする基地局のサービスエリア（マクロセル）内にキャパシティを確保することを目的としたスモールセルが多数設置される階層化セル構成（ＨＣＳ：Hierarchical  Cell  Structure）が採られる傾向にある。図２は、第１の実施形態に係る階層化セル構成を示す図である。例えば、第１基地局４０がカバーするセル１−１はキャパシティを確保するためのセルであってよい。また、第２基地局５０がカバーするセル２―１は、カバレッジを確保することを目的としたセルであってよい。
【００４６】
＜２．２  第１ネットワークノード２００の構成＞
図３は、第１の実施形態に係る第１ネットワークノード２００を示す図である。第１ネットワークノード２００は、１以上の機能部を有する。例えば、第１ネットワークノード２００は第１情報取得部２０１及び第１通信処理部２０２を有している。さらに、第１ネットワークノード２００は第１ネットワーク選択部２０３を有していてよい。当該第１ネットワーク選択部２０３は、後述の第２の変形例で説明する。当然ながら、第１ネットワークノード２００は他の機能部を有していてもよい。
【００４７】
また、当該第１ネットワークノード２００は、ハードウェアで実現されてもよいし、ソフトフェアとして実現されてもよい。ソフトフェアとして実現する具体例として、ネットワーク機能の仮想化技術を用いて、第１ネットワークノード２００を仮想化ネットワークノードとして構成してもよい。さらに仮想化ネットワークノードは、単一の物理装置上に構成されてもよいし複数の物理装置に分散配置されてもよい。当該仮想化ネットワークノードは、所定の管理装置から管理されてもよい。当然ながら、第１ネットワークノード２００が有する構成部はこの例に限定されない。
【００４８】
第１情報取得部２０１は、ＵＥ１０が使用する第１コアネットワーク２０に関する所定の情報を取得する。例えば、第１情報取得部２０１が取得する所定の情報は、第１コアネットワーク２０に含まれるネットワークスライスに関する情報である。より具体的には、ネットワークスライスに関する情報は、第１無線通信システム２内でＵＥ１０が使用するネットワークスライスに関する情報であり、その情報の数は１以上であり得る。第１の実施形態では、このＵＥ１０が使用するネットワークスライスに関する情報を、例えばネットワークスライス関連情報（Network  Slicing  Related  Info）５００と呼ぶ。
【００４９】
また、第１情報取得部２０１が行う取得は、第１ネットワークノード２００の内部に存在する所定のモジュールや記憶手段から取得することであってもよい。あるいは、第１情報取得部２０１が行う取得は、第１ネットワークノード２００の外部の装置（又はノード）からの取得であってもよい。
【００５０】
第１通信処理部２０２は、ＵＥ１０、第１基地局４０、第１無線通信システム２内のネットワークノード、及び、第２無線通信システム３内のネットワークノードとの通信処理を行う。例えば、第１通信処理部２０２は、第２無線通信システム３内の所定のネットワークノードとシステム間ハンドオーバのための通信処理を行う。より具体的には、第１通信処理部２０２は、第２無線通信システム３内の第２ネットワークノード３００と１以上のメッセージを送受信することにより、システム間ハンドオーバのための通信処理を行う。
【００５１】
＜２．３  第２ネットワークノード３００の構成＞
図４は、第１の実施形態に係る第２ネットワークノード３００を示す図である。第２ネットワークノード３００は、１以上の機能部を有する。例えば、第２ネットワークノード３００は第２通信処理部３０２及び第２ネットワーク選択部３０３を有している。さらに、第２ネットワークノード３００は第２情報取得部３０１を有していてよい。当該第２情報取得部３０１は、後述の第２の変形例で説明する。当然ながら、第２ネットワークノード３００は他の機能部を有していてもよい。
【００５２】
また、第２ネットワークノード３００は、ハードウェアで実現されてもよいし、ソフトフェアとして実現されてもよい。ソフトフェアとして実現する具体例として、ネットワーク機能の仮想化技術を用いて、第２ネットワークノード３００を仮想化ネットワークノードとして構成してもよい。さらに仮想化ネットワークノードは、単一の物理装置上に構成されてもよいし複数の物理装置に分散配置されてもよい。当該仮想化ネットワークノードは、所定の管理装置から管理されてもよい。当然ながら、第２ネットワークノード３００が有する構成部はこの例に限定されない。
【００５３】
第２ネットワーク選択部３０３は、ＵＥ１０が使用するコアネットワークを選択する。例えば、１以上の所定の情報に基づいてＵＥ１０に適したコアネットワークを選択する。当該１以上の所定の情報は、第２ネットワークノード３００の外部から取得するものであってもよいし、第２ネットワークノード３００の内部から取得するものであってもよい。より具体的には、第２ネットワーク選択部３０３は、ＵＥ１０のトラヒックが要求する通信要件に関する情報を参照し、当該ＵＥ１０に適したコアネットワークを第２コアネットワーク３０に含まれる１以上のコアネットワークから選択する。あるいは、第２コアネットワーク３０内の障害状況や負荷状況などに基づいて、ＵＥ１０が使用するコアネットワークを選択してもよい。
【００５４】
第２通信処理部３０２は、ＵＥ１０、第２基地局５０、第２無線通信システム３内のネットワークノード、及び、第１無線通信システム２内のネットワークノードとの通信処理を行う。例えば、第２通信処理部３０２は、第１無線通信システム２内のネットワークノードとシステム間ハンドオーバのための通信処理を行う。より具体的には、第２通信処理部３０２は、第１無線通信システム２内の第１ネットワークノード２００と１以上のメッセージを送受信することにより、システム間ハンドオーバのための通信処理を行う。
【００５５】
＜２．４  技術的特徴＞
図５は、第１の実施形態の技術的特徴を示すシーケンス図である。
【００５６】
第１ネットワークノード２００（第１情報取得部２０１）は、第１無線通信システム２内でＵＥ１０が使用するネットワークスライス２１〜２３に関する情報を取得する（Ｓ４０１）。この取得された情報は、ネットワークスライス関連情報５００と呼ばれる。第１ネットワークノード２００（第１通信処理部２０２）は、システム間ハンドオーバのためのメッセージを第２ネットワークノード３００に送信する（Ｓ４０２）。この送信されるメッセージには、上記ネットワークスライス関連情報５００が含まれている。
【００５７】
第２ネットワークノード３００（第２通信処理部３０２）は、上記メッセージを第１ネットワークノード２００から受信する。このメッセージに上記ネットワークスライス関連情報５００が含まれている場合、第２ネットワークノード３００（第２ネットワーク選択部３０３）は、当該ネットワークスライス関連情報５００に基づいて、第２無線通信システム３内でＵＥ１０が使用するコアネットワークを選択する（Ｓ４０３）。
【００５８】
（１）  ネットワークスライス関連情報５００
図６を参照して、ネットワークスライス関連情報５００の例を説明する。ネットワークスライス関連情報５００は、ＵＥ１０が使用するネットワークスライスのネットワーク特性を示すための情報を含む。例えば、ネットワークスライス関連情報５００は、識別情報５０１、品質情報５０３、使用情報５０５に含まれる累積使用情報５０７、及び、使用情報５０５に含まれる期間使用情報５０９のうち、いずれか１つ以上の情報を含む。あるいは、これらの情報のうちの２つ以上の組合せが用いられてもよいし、これらの情報を全て含んでいてもよい。ネットワークスライス関連情報５００に含まれる情報はこの例に限定されない。
【００５９】
（１−１）  識別情報５０１
例えば、ネットワークスライス関連情報５００は識別情報５０１を含み得る。識別情報５０１は、ＵＥ１０が使用するネットワークスライスを識別するための情報であり、文字情報、記号情報、数値情報、又は、コード化された情報など、様々な形式の情報が採用されてもよい。より具体的には、識別情報５０１は「ｅＭＢＢ」や「ＵＲＬＬＣ」などのネットワークスライスを識別できる情報を含む。
【００６０】
当該ネットワークスライス関連情報５００を受信する受信側ノード（例えば、第２ネットワークノード３００）は、「ｅＭＢＢ」や「ＵＲＬＬＣ」などの識別情報５０１に対応するトラヒックの通信要件やネットワーク特性に関する情報などをあらかじめ有していてもよい。例えば、識別情報５０１で示されるスライスが「ｅＭＢＢ」であった場合、当該スライスに属するトラヒックは、音声データやビデオストリーミングなどのトラヒック種別であると識別できる情報を、受信側ノード（例えば第２ネットワークノード３００）が有していてもよい。あるいは、識別情報５０１で示されるスライスが「ｅＭＢＢ」であった場合、当該スライスに属するトラヒックは、許容遅延時間が所定の時間であり、かつ、パケットエラーレートが所定の値として規定されるトラヒック種別であると識別できる情報を、受信側ノード（例えば第２ネットワークノード３００）が有していてもよい。
【００６１】
（１−２）  品質情報５０３
例えば、ネットワークスライス関連情報５００は品質情報５０３を含み得る。品質情報５０３は、ＵＥ１０のトラヒックが要求する通信要件を示す情報であってよい。ＵＥ１０が使用するネットワークスライスのネットワーク特性は、ＵＥ１０のトラヒックが要求する通信要件に対応して定められることがあるためである。具体的には、品質情報５０３はＱｏＳを示す情報であってよい。より具体的には、品質情報５０３は第１無線通信システム２において所定のネットワークスライスに属する通信フローに割り当てられたＱｏＳを示す情報であってよい。また、当該ＱｏＳを示す情報は、３ＧＰＰの規格に準拠した５ＱＩであってもよいし、３ＧＰＰの規格に非準拠の指標でもよい。当然ながら、当該５ＱＩの値を用いることは第１の実施形態の１つの例に過ぎない。
【００６２】
図６を参照して、品質情報５０３の値について説明する。例えば、図６に記載の品質情報５０３の値は上記５ＱＩ値である。当該５ＱＩ値の「７」は、例えば許容遅延時間が１００ｍｓ及びパケットエラーレートが１×１０−３などの組み合わせに基づくＱｏＳ特性であることを示す。また、５ＱＩ値の「７９」は、例えば許容遅延時間が５０ｍｓ及びパケットエラーレートが１×１０−２などの組み合わせに基づくＱｏＳ特性であることを示す。当然ながら、品質情報５０３に５ＱＩ値を用いることは例示である。
【００６３】
５ＱＩ値に代えて、５ＱＩ値に対応するＱｏＳ特性の一部のみを示す指標を用いてもよい。例えば、許容遅延時間のみを品質情報５０３として使用してもよい。また、複数のＱｏＳ特性を包含する指標を用いてもよい。例えば、帯域が保証されるＧＢＲ（Guaranteed  Bit  Rate）、または、帯域が保証されない非ＧＢＲ（Non-Guaranteed  Bit  Rate）などのリソースタイプを利用してもよい。具体的には、ＵＥ１０が使用するスライスが、ＧＢＲのスライス及び非ＧＢＲのスライスのいずれのスライスであるかを示す情報を用いてもよい。
【００６４】
（１―３）  使用情報５０５
例えば、ネットワークスライス関連情報５００は使用情報５０５を含み得る。使用情報５０５は、ＵＥ１０が使用したネットワークスライスに関する情報であって、ネットワークスライス毎の使用に関する情報である。例えば、使用情報５０５は、特定のネットワークスライスをＵＥ１０が使用した時間に関する時間情報であってよい。より具体的には、当該時間情報は、ネットワークスライスが使用された累積時間に関する累積使用情報５０７、又は、ハンドオーバ前の所定期間においてネットワークスライスが使用された時間を示す期間使用情報５０９のうち少なくとも１つ以上を含む。あるいは、上記使用情報５０５は、特定のネットワークスライスをＵＥ１０が使用した回数、頻度、及び、間隔などを含んでもよい。また、上記使用情報は、特定のネットワークスライスをＵＥ１０が使用しなかった時間、回数、頻度、又は、間隔などであってもよい。
【００６５】
累積使用情報５０７は、第１無線通信システム２において使用したネットワークスライス毎の累積時間を示す。例えば、当該累積使用情報５０７は、任意の時点から計時を開始することができ、任意の時点で累積をリセットすることができる。当該累積使用情報５０７は、ＵＥ１０のネットワークスライス使用に関する統計的な情報を示すことができる。より具体的には、図６に示されるように、ＵＥ１０はｅＭＢＢを６００分使用しており、ＵＲＬＬＣを１２００分使用している。ただし、当然ながら当該累積使用情報５０７はこの例に限られない。
【００６６】
期間使用情報５０９は、第１無線通信システム２において使用したネットワークスライス毎の時間であって、ハンドオーバ前の所定期間において使用された時間を示す。例えば、当該期間使用情報５０９は、ハンドオーバが発生した時点から遡って換算した特定の時点からハンドオーバが発生した時点までの間に、ＵＥ１０がスライスを使用した時間であってよい。当該期間使用情報５０９は、ＵＥ１０のネットワークスライス使用に関する短期的な傾向を示すことができる。より具体的には、図６に示されるように、ＵＥ１０はハンドオーバ前にｅＭＢＢを１０分使用し、かつ、ＵＲＬＬＣを５分使用している。さらに、ハンドオーバ前の所定期間を６０分とすれば、ＵＥ１０がハンドオーバ発生前の６０分間の間にスライスを使用した割合を特定することができる。ただし、当然ながら当該期間使用情報５０９はこの例に限られない。
【００６７】
（２）  システム間ハンドオーバ
図７及び図８を参照して、システム間ハンドオーバの手順を説明する。例えば、図７は、５ＧＣとＥＰＣとの相互接続におけるアーキテクチャを示す概略図である。例えば、図８は、システム間ハンドオーバ手順の一部を示すシーケンス図である。
【００６８】
上述した図５のＳ４０２において、第１ネットワークノード２００（第１通信処理部２０２）は、ネットワークスライス関連情報５００を含むシステム間ハンドオーバのためのメッセージを第２ネットワークノード３００に送信する。当該メッセージは３ＧＰＰの規格に基づくメッセージであってよい。さらに、当該メッセージはシステム間ハンドオーバのためのメッセージであって、ＵＥ１０のモビリティを管理するためのメッセージであってよい。より具体的には、図８のＳ７０９で示される、「３．Ｆｏｒｗａｒｄ  Ｒｅｌｏｃａｔｉｏｎ  Ｒｅｑｕｅｓｔ」メッセージであってよい。
【００６９】
なお、当該システム間ハンドオーバのためのメッセージは、システム間ハンドオーバの手順に必須のメッセージであってもよく、非必須のメッセージであってもよい。また、当該システム間ハンドオーバのためのメッセージは、３ＧＰＰの規格に基づかないメッセージであってよい。当該システム間ハンドオーバのためのメッセージは、上記の例に限定されず、システム間ハンドオーバが生じたことに基づいて送信される任意のメッセージであってもよい。
【００７０】
（３）  コアネットワークの選択
第２ネットワークノード３００（第２ネットワーク選択部３０３）は、ネットワークスライス関連情報５００を参照することにより、ＵＥ１０が第1無線通信システム２で使用していたネットワークスライスのネットワーク特性に関する情報を得る。そして、第２ネットワークノード３００（第２ネットワーク選択部３０３）は、ＵＥ１０が使用していたネットワークスライスのネットワーク特性に対応するコアネットワークを、第２コアネットワーク３０に含まれる１以上のコアネットワークから選択する。
【００７１】
例えば、第２ネットワークノード３００（第２ネットワーク選択部３０３）は、ＵＥ１０のトラヒックが要求する所定の通信要件を満たすネットワーク特性を有するコアネットワークを選択する。なお、所定の通信要件は、アプリケーション、ユーザ、サービス内容、契約内容、セキュリティレベル、事業態様、運用管理態様、及び、地理的条件などに応じて任意に定められるものであってよい。
【００７２】
第２ネットワークノード３００（第２ネットワーク選択部３０３）は、ネットワークスライス関連情報５００に加えて（又は、代えて）、所定の規則、ポリシー、ＵＥのタイプ、ネットワーク負荷、ノード負荷、又は、障害状況などに基づいて、ＵＥ１０が使用するコアネットワークを選択してもよい。第２ネットワークノード３００（第２ネットワーク選択部３０３）は、最初から第２無線通信システム３を利用する他のＵＥに対しても第２コアネットワーク３０内のネットワークを選択してもよい。具体的には、システム間ハンドオーバをしない他のＵＥのために第２コアネットワーク３０内のコアネットワークを選択してもよい。
【００７３】
具体例として、第２ネットワークノード３００（第２ネットワーク選択部３０３）が１以上の選択基準を用いて第２コアネットワーク３０内のコアネットワークを選択する例を説明する。特に、第１〜第４の選択基準を用いる例を示す。
【００７４】
（３−１）  第１の選択基準
第１の選択基準は、ＵＥ１０のトラヒック種別に基づく選択基準である。第２ネットワークノード３００は、ネットワークスライス関連情報５００に含まれる識別情報５０１を参照してコアネットワークを選択してもよい。具体例として、識別情報５０１で示されるスライスが「ｅＭＢＢ」であった場合、第２ネットワークノード３００（第２ネットワーク選択部３０３）は、「ｅＭＢＢ」に対応する通信要件の範囲に含まれるトラヒックと、同種のトラヒックを扱うコアネットワークを選択する。例えば、「高速」の特性を有するＤＣＮを選択する。
【００７５】
また、他の具体例として、「ｅＭＢＢ」が音声トラヒックやビデオストリーミングトラヒックを扱うスライスであった場合に、音声トラヒックやビデオストリーミングトラヒックを扱うコアネットワークを選択してもよい。あるいは、「ｅＭＢＢ」が所定の範囲の許容遅延時間を扱うスライスであった場合に、当該所定の範囲と同程度の許容遅延時間を通信要件とするトラヒックを扱うコアネットワークを選択する。なお、ネットワークスライス関連情報５００の識別情報５０１に基づいて判明したトラヒックと同種のトラヒックを扱うコアネットワークが存在しない場合は、第２ネットワークノード３００（第２ネットワーク選択部３０３）は、デフォルトのコアネットワークを選択してもよい。あるいは、他のノードに問い合わせることによってコアネットワークを選択してもよい。
【００７６】
（３−２）  第２の選択基準
第２の選択基準は、ＵＥ１０のトラヒックに割り当てられた品質値に基づく選択基準である。第２ネットワークノード３００は、ネットワークスライス関連情報５００に含まれる品質情報５０３を参照してコアネットワークを選択してもよい。品質情報５０３はネットワークスライスに属する通信フローに割り当てられたＱｏＳを示す情報である。ここで、第２ネットワークノード３００は、コアネットワークに属する通信フローに割り当てられたＱｏＳを示す情報のリストを有していてもよい。当該リストから、品質情報５０３に対応するコアネットワークの品質情報を検索することにより、品質情報５０３に対応する第２コアネットワーク３０内のコアネットワークを選択してもよい。
【００７７】
より具体的には、コアネットワークに属する通信フローに割り当てられたＱｏＳを示す情報のリストは、ＱＣＩ（QoS  Class  Indicator）のリストである。第２ネットワークノード３００は、ネットワークスライス関連情報５００に含まれる品質情報５０３に対応するＱｏＳ特性が、上記ＱＣＩのリストのＱｏＳ特性と対応するか否かを判断してもよい。対応するＱｏＳ特性が存在する場合、第２ネットワークノード３００（第２ネットワーク選択部３０３）は当該ＱｏＳ特性に対応するコアネットワークを選択する。すなわち、品質情報５０３の５ＱＩと第２ネットワークノード３００が有するＱＣＩが一対一に対応する場合、該当するＱＣＩをサポートする第２コアネットワーク３０内のコアネットワークを選択する。一方、品質情報５０３の５ＱＩとＱＣＩが一対一に対応しない場合、例えば、複数の５ＱＩとＱＣＩが多対一に対応する場合は、該当するＱＣＩをサポートするコアネットワークを選択してもよい。もし、対応するコアネットワークが存在しない場合は、第２ネットワークノード３００は、デフォルトのコアネットワークを選択してもよいし、予め設定されたコアネットワークを選択してもよい。あるいは、他のノードに問い合わせることによって第２ネットワークノード３００がコアネットワークを選択してもよい。
【００７８】
（３−３）  第３の選択基準
第３の選択基準は、ＵＥ１０が使用したネットワークスライスの使用に関する選択基準であって、ＵＥ１０のスライスの累積使用に関する選択基準である。第２ネットワークノード３００は、ネットワークスライス関連情報５００に含まれる使用情報５０５を参照してコアネットワークを選択してもよい。例えば、使用情報５０５は、ＵＥ１０がシステム間ハンドオーバの前に使用していたネットワークスライスに関する累積使用情報５０７であってよい。また、当該累積使用情報５０７は、累積使用した時間に関する情報であってもよい。
【００７９】
より具体的には、第２ネットワークノード３００は、ネットワークスライス関連情報５００に含まれる累積使用情報５０７を参照することにより、ＵＥ１０が最も長時間使用したネットワークスライスのネットワーク特性やＱｏＳ特性を取得する。そして、第２ネットワークノード３００は、累積使用情報５０７の値が最も大きいスライスの特性をコアネットワーク選択の基準とする。もし、対応するコアネットワークが存在しない場合は、第２ネットワークノード３００がデフォルトのコアネットワークを選択してもよいし、予め設定されたコアネットワークを選択してもよいし、あるいは、他のノードに問い合わせることによって第２ネットワークノード３００がコアネットワークを選択してもよい。
【００８０】
（３−４）  第４の選択基準
第４の選択基準は、ＵＥ１０が使用したネットワークスライスの使用に関する選択基準であって、ＵＥ１０のスライスの所定期間内の使用に関する選択基準である。第２ネットワークノード３００は、ネットワークスライス関連情報５００に含まれる使用情報５０５を参照してコアネットワークを選択してもよい。例えば、使用情報５０５は、ＵＥ１０がシステム間ハンドオーバの前に使用していたネットワークスライスに関する期間使用情報５０９であってよい。また、当該期間使用情報５０９は、所定期間内に使用した時間に関する情報であってもよい。
【００８１】
より具体的には、第２ネットワークノード３００は、ネットワークスライス関連情報５００に含まれる期間使用情報５０９を参照することにより、ＵＥ１０がシステム間ハンドオーバの前に使用していたネットワークスライスのネットワーク特性やＱｏＳ特性を取得する。そして、第２ネットワークノード３００は、期間使用情報５０９の値が最も大きいスライスの特性をコアネットワーク選択の基準とする。もし、対応するコアネットワークが存在しない場合は、第２ネットワークノード３００がデフォルトのコアネットワークを選択してもよいし、予め設定されたコアネットワークを選択してもよいし、あるいは、他のノードに問い合わせることによって第２ネットワークノード３００がコアネットワークを選択してもよい。
【００８２】
ここで、上記第１から第４の選択基準のうちの１つが単独で用いられてもよく、又は、上記第１から第４の選択基準のうちの２つ以上の組合せが用いられてもよい。それぞれの選択基準に重みを付けて、複数の選択基準を同時に適用してもよい。上記第１から第４の選択基準は、当然ながらこの例に限られない。
【００８３】
また、上記第１から第４の選択基準の設定は、第２ネットワークノード３００が適用する基準を設定してもよいし、他のネットワークノードから設定されてもよい。また、上記第１から第４の選択基準は、トラヒック状況、負荷、又は、障害状況などに応じて動的に更新されてもよい。
【００８４】
以上のように、第１の実施形態の上述した例では、ＵＥ１０のシステム間ハンドオーバ後に、ハンドオーバ先の第２ネットワークノード３００がネットワークスライス関連情報５００を参照することにより、ＵＥ１０に適したコアネットワークを選択することができる。そのため、システム間ハンドオーバに伴うユーザのＱｏＥ劣化を抑制することが可能となる。
【００８５】
＜２．５  変形例＞
次に、図９、図１０を参照して、第１の実施形態の変形例を説明する。
【００８６】
（１）  第１の変形例
第１の実施形態の上述した例では、システム間ハンドオーバのためのメッセージには、ネットワークスライス関連情報５００が含まれている。この第１の実施形態の第１の変形例では、上記メッセージは、さらにハンドオーバ履歴情報（Handover  History  Info）９００を含む。
【００８７】
図９は、ＵＥ１０が属するセル１−１及びセル１−１の近隣セルを示している。ＵＥ１０から延びる矢印の図形は、ＵＥ１０がセル１−１から他のセルに移るハンドオーバを示している。ＵＥ１０は、ソースセル（セル１−１）からターゲットセル（近隣セル）にハンドオーバをすることができる。例えばセル１−１は、第１無線通信システム２の第１基地局４０がカバーするセルであり、セル１−１以外の近隣セルは、第２無線通信システム３の所定の基地局がカバーするセルであってよい。
【００８８】
システム間ハンドオーバが生じると、第２ネットワークノード３００（第２通信処理部３０２）は、システム間ハンドオーバのためのメッセージを第１ネットワークノード２００から受信する。この受信したメッセージに上記ネットワークスライス関連情報５００及びハンドオーバ履歴情報９００が含まれている場合、第２ネットワークノード３００（第２ネットワーク選択部３０３）は、当該ネットワークスライス関連情報５００とハンドオーバ履歴情報９００とに基づいて、第２無線通信システム３内でＵＥ１０が使用するコアネットワークを、第２コアネットワーク３０に含まれる１以上のコアネットワークから選択してもよい。
【００８９】
システム間ハンドオーバは、第１無線通信システム２のソースセルから第２無線通信システム３のターゲットセルへのハンドオーバである。このシステム間ハンドオーバの手順の中で送信されるメッセージには、ソースセルからターゲットセルへのハンドオーバの履歴に関するハンドオーバ履歴情報９００を含んでもよい。ハンドオーバ履歴情報９００は、ハンドオーバに関する統計情報であってよい。当該ハンドオーバに関する統計情報は、基地局間ハンドオーバに関する統計情報でもよいし、システム間ハンドオーバに関する統計情報でもよい。例えば、ハンドオーバ履歴情報９００は、ハンドオーバが実施される度に記録されるハンドオーバの数を示してもよい。ここで、ハンドオーバ手順は何らかの原因によって失敗することがあり得る。よって、ハンドオーバ履歴情報９００は、ＵＥ１０が第２無線通信システム３のターゲットセルへハンドオーバする際に、ハンドオーバ手順が成功又は失敗する可能性を示してもよい。
【００９０】
例えば、ハンドオーバ履歴情報９００は、ソースセルからターゲットセルへのハンドオーバ履歴に関する情報のみを含んでもよく、ソースセルから各近隣セルへのハンドオーバ履歴に関する情報を含んでもよい。再び図９を参照すると、ＵＥ１０が矢印の方向に移動すると、ＵＥ１０との距離が縮まるセルとＵＥ１０との距離が離れるセルが生じ得る。ＵＥ１０との距離が縮まるセルは、ＵＥ１０の通信品質が向上又は維持できる可能性が高いセルであり、ＵＥ１０との距離が離れるセルは、ＵＥ１０の通信品質が劣化する可能性が高いセルである。例えば、セル５−１にハンドオーバする場合はＵＥ１０の通信品質が向上又は維持できる可能性が高くなり、セル３−１にハンドオーバする場合はＵＥ１０の通信品質が劣化する可能性が高くなる。
【００９１】
より具体的には、ＵＥ１０がセル１−１から他のセルへのハンドオーバに関するハンドオーバ履歴情報９００は、他のセル毎に通信品質が劣化するか否かを示す情報を有する。例えば、当該ハンドオーバ履歴情報９００は、ハンドオーバの成功の可能性を示す情報であってよい。例えば、ハンドオーバ履歴情報９００は、所定の期間におけるハンドオーバの成功数及び失敗数を示してもよい。
【００９２】
図１０は、ハンドオーバ履歴情報９００の例を示す図である。図１０の表に示されるように、ターゲットセル９０１毎に、総ハンドオーバ数を分母としてハンドオーバの成功数及び失敗数などから求められるハンドオーバの成功率情報９０２を示してもよい。なお、ハンドオーバ履歴情報９００は、ハンドオーバの累積回数又はハンドオーバの頻度に関する情報などを含んでもよい。当然ながらハンドオーバ履歴情報９００はこの例に限られない。
【００９３】
ハンドオーバ履歴情報９００は、第１無線通信システム２内において取得され得る。ハンドオーバ履歴情報９００は、第１無線通信システム２の無線アクセスネットワークによって取得されてもよいし、第１コアネットワーク２０内のネットワークノードによって取得されてもよい。より具体的には、ハンドオーバ履歴情報９００は、第１無線通信システム２の第１基地局４０によって収集されてもよい。第１ネットワークノード２００（第１情報取得部２０１）は、第１基地局４０が送信するハンドオーバ履歴情報９００を取得してもよい。あるいは、ハンドオーバ履歴情報９００はＵＥ１０によって収集されてもよい。
【００９４】
例えば、ハンドオーバ履歴情報９００は、第１無線通信システム２の無線アクセスネットワーク内のノードが第１ネットワークノード２００に送信する所定の管理メッセージに含まれてもよい。当該所定の管理メッセージは、ハンドオーバの可能性に基づいて送信される管理メッセージであり得る。具体的には、当該所定の管理メッセージは、３ＧＰＰの規格に準拠したアプリケーションレイヤのシグナリングプロトコルであって、ＮＧＡＰ（NG  Application  Protocol）と呼ばれるプロトコルを用いて送信されてよい。例えば、ＮＧＡＰで送信される当該所定の管理メッセージは「ＨＡＮＤＯＶＥＲ  ＲＥＱＵＩＲＥＤ」メッセージであってよい。
【００９５】
具体例の１つとして、第１ネットワークノード２００（第１情報取得部２０１）は、第１無線通信システム２の第１基地局４０から、ハンドオーバ履歴情報９００が含まれたＮＧＡＰ：ＨＡＮＤＯＶＥＲ  ＲＥＱＵＩＲＥＤメッセージを受信することにより、ハンドオーバ履歴情報９００を取得してもよい。
【００９６】
一方、第２ネットワークノード３００は、システム間ハンドオーバのためのメッセージにハンドオーバ履歴情報９００が含まれているか否かを判定する。第２ネットワークノード３００（第２ネットワーク選択部３０３）は、ネットワークスライス関連情報５００とハンドオーバ履歴情報９００とに基づいて、第２無線通信システム３でＵＥ１０が使用するコアネットワークを選択する。例えば、第２ネットワークノード３００は、ネットワークスライス関連情報５００に基づいて選択したコアネットワークに対応するトラヒックが、ハンドオーバ履歴情報９００が示すハンドオーバ成功の可能性を許容できるか否かを判断する。
【００９７】
システム間ハンドオーバの手順は失敗することがあり得る。システム間ハンドオーバの手順に失敗すると再接続処理などが発生するため、システム間ハンドオーバの完了までに多くの時間を要する場合がある。そこで、例えば第２ネットワークノード３００は、当該システム間ハンドオーバの完了までに要する時間が、ＵＥ１０のトラヒックが許容する許容遅延時間を超えるか否かを判断してもよい。より具体的には、システム間ハンドオーバの完了までに要する時間が所定の時間より大きい場合、ＵＥ１０のトラヒックが要求する通信要件を満たすサービスを、第２ネットワークノード３００が選択するコアネットワークにおいて継続することができないと第２ネットワークノード３００が判断してもよい。
【００９８】
図１０の表を参照して具体例を説明する。ハンドオーバ成功の可能性が低いセル３―１（成功率情報９０２：７０％）がハンドオーバのターゲットセルとして選ばれた場合、第２コアネットワーク３０は、第１コアネットワーク２０で使用していたＵＲＬＬＣ（超低遅延）のような信頼性が要求されるサービスを維持することを保証できない。一方、ハンドオーバ成功の可能性が高いセル３―１以外（成功率情報９０２：９９％）がハンドオーバのターゲットセルとして選ばれた場合、第２コアネットワーク３０は、上記信頼性が要求されるサービスを維持できる可能性がある。
【００９９】
したがって、第２ネットワークノード３００は、ネットワークスライス関連情報５００に基づいてＵＥ１０の使用に適したコアネットワークを選択するとともに、ハンドオーバ履歴情報９００に基づいてＵＥ１０のサービスを維持できるか否かを判断することができる。すなわち、第２ネットワークノード３００は、ハンドオーバ履歴情報９００に基づいてＵＥ１０の使用に適したコアネットワークの選択を保証することができる。
【０１００】
第１の変形例によれば、第２ネットワークノード３００は、ハンドオーバの成功の可能性に基づいてＵＥ１０の使用に適したコアネットワークを選択することができ、システム間ハンドオーバに伴うユーザのＱｏＥ劣化を抑制することが可能となる。
【０１０１】
（２）  第２の変形例
第１の実施形態の上述した例では、第１無線通信システム２から第２無線通信システム３にシステム間ハンドオーバを行う場合を説明した。第１の実施形態の第２の変形例では、第２無線通信システム３から第１無線通信システム２にシステム間ハンドオーバを行う場合を説明する。
【０１０２】
第１ネットワークノード２００が、第１情報取得部２０１及び第１通信処理部２０２を有していることは、すでに上述しているためその説明を省略する。第２の変形例において、第１ネットワークノード２００は、特に第１ネットワーク選択部２０３を用いる態様について説明する。
【０１０３】
当該第１ネットワーク選択部２０３は、ＵＥ１０が使用するネットワークスライスを選択する。例えば、１以上の所定の情報に基づいてＵＥ１０に適したネットワークスライスを選択する。当該１以上の所定の情報は、第１ネットワークノード２００の外部から取得するものであってもよいし、第１ネットワークノード２００の内部から取得するものであってもよい。より具体的には、ＵＥ１０のトラヒックが要求する通信要件に関する情報を取得し、当該ＵＥ１０に適したネットワークスライスを、第１コアネットワーク２０に含まれる１以上のネットワークスライスから選択する。あるいは、第１コアネットワーク２０内の障害状況や負荷状況などに基づいて、ＵＥ１０が使用するネットワークスライスを選択してもよい。
【０１０４】
また、第２ネットワークノード３００が、第２通信処理部３０２及び第２ネットワーク選択部３０３を有していることは、すでに上述しているためその説明を省略する。第２の変形例において、第２ネットワークノード３００は、特に第２情報取得部３０１を用いる態様について説明する。
【０１０５】
当該第２情報取得部３０１は、ＵＥ１０が使用する第２コアネットワーク３０に関する所定の情報を取得する。例えば、第２情報取得部３０１が取得する所定の情報は、第２コアネットワーク３０に含まれる１以上のコアネットワークに関する情報である。より具体的には、１以上のコアネットワークに関する情報は、第２無線通信システム３内でＵＥ１０が使用するＤＣＮに関する情報であり、その情報の数は１以上であり得る。このＵＥ１０が使用するＤＣＮに関する情報を、例えばＤＣＮ関連情報（DCN  Related  Info）と呼ぶ。
【０１０６】
また、第２情報取得部３０１が行う取得は、第２ネットワークノード３００の内部に存在する所定のモジュールや記憶手段から取得することであってもよい。あるいは、第２情報取得部３０１が行う取得は、第２ネットワークノード３００の外部の装置（又はノード）からの取得であってもよい。
【０１０７】
第２ネットワークノード３００（第２情報取得部３０１）は、第２無線通信システム３内でＵＥ１０が使用するＤＣＮ３１〜３３に関する情報を取得する。この取得された情報は、ＤＣＮ関連情報と呼ばれる。第２ネットワークノード３００（第２通信処理部３０２）は、システム間ハンドオーバのためのメッセージを第１ネットワークノード２００に送信する。この送信されるメッセージには、上記ＤＣＮ関連情報が含まれている。
【０１０８】
第１ネットワークノード２００（第１通信処理部２０２）は、上記メッセージを第２ネットワークノード３００から受信する。このメッセージに上記ＤＣＮ関連情報が含まれている場合、第１ネットワークノード２００（第１ネットワーク選択部２０３）は、当該ＤＣＮ関連情報に基づいて、第１無線通信システム２内でＵＥ１０が使用するネットワークスライスを選択する。
【０１０９】
ＤＣＮ関連情報は、ＵＥ１０が使用するＤＣＮのネットワーク特性を示すための情報を含む。例えば、ＤＣＮ関連情報はＤＣＮ識別情報を含み得る。ＤＣＮ識別情報は、ＵＥ１０が使用するＤＣＮを識別するための情報であり、文字情報、記号情報、数値情報、又は、コード化された情報など、様々な形式の情報が採用されてもよい。より具体的には、識別情報は「高速」や「低遅延」などのＤＣＮを識別できる情報を含む。
【０１１０】
当該ＤＣＮ関連情報を受信する受信側ノード（例えば、第１ネットワークノード２００）は、「高速」や「低遅延」などのＤＣＮ識別情報に対応するトラヒックの通信要件やネットワーク特性に関する情報などをあらかじめ有していてもよい。例えば、ＤＣＮ識別情報で示されるＤＣＮが「高速」であった場合、当該スライスに属するトラヒックは、音声データやビデオストリーミングなどのトラヒック種別であると識別できる情報を、受信側ノード（例えば第１ネットワークノード２００）が有していてもよい。あるいは、ＤＣＮ識別情報で示されるスライスが「高速」であった場合、当該スライスに属するトラヒックは、許容遅延時間が所定の時間であり、かつ、パケットエラーレートが所定の値として規定されるトラヒック種別であると識別できる情報を、受信側ノード（例えば第１ネットワークノード２００）が有していてもよい。
【０１１１】
例えば、ＤＣＮ関連情報はＤＣＮ品質情報を含み得る。ＤＣＮ品質情報は、ＵＥ１０のトラヒックが要求する通信要件を示す情報であってよい。ＵＥ１０が使用するＤＣＮのネットワーク特性は、ＵＥ１０のトラヒックが要求する通信要件に対応して定められることがあるためである。具体的には、ＤＣＮ品質情報は、ＱｏＳを示す情報であってよい。より具体的には、ＤＣＮ品質情報は、第２無線通信システム３において所定のＤＣＮに属する通信フローに割り当てられたＱｏＳを示す情報である。当該ＱｏＳを示す情報は、３ＧＰＰの規格に準拠したＱＣＩであってもよい。ただし、当該ＱＣＩの値を用いることは例示に過ぎない。
【０１１２】
例えば、ＤＣＮ関連情報はＤＣＮ使用情報を含み得る。ＤＣＮ使用情報は、ＵＥ１０が使用したＤＣＮに関する情報であって、ＤＣＮ毎の使用に関する情報である。例えば、ＤＣＮ使用情報は、特定のＤＣＮをＵＥ１０が使用した時間に関する時間情報であってよい。より具体的には、当該時間情報は、ＤＣＮが使用された累積時間に関するＤＣＮ累積使用情報、又は、ハンドオーバ前の所定期間においてＤＣＮが使用された時間を示すＤＣＮ期間使用情報のうち少なくとも１つ以上を含む。あるいは、上記ＤＣＮ使用情報は、特定のＤＣＮをＵＥ１０が使用した回数、頻度、及び、間隔などを含んでもよい。また、上記使用情報は、特定のＤＣＮをＵＥ１０が使用しなかった時間、回数、頻度、又は、間隔などであってもよい。
【０１１３】
ＤＣＮ累積使用情報は、第２無線通信システム３において使用したＤＣＮ毎の累積時間を示す。例えば、当該ＤＣＮ累積使用情報は、任意の時点から計時を開始することができ、任意の時点で累積をリセットすることができる。当該ＤＣＮ累積使用情報は、ＵＥ１０のＤＣＮ使用に関する統計的な情報を示すことができる。
【０１１４】
ＤＣＮ期間使用情報は、第２無線通信システム３において使用したＤＣＮ毎の時間であって、ハンドオーバ前の所定期間において使用された時間を示す。例えば、当該ＤＣＮ期間使用情報は、ハンドオーバが発生した時点から遡って換算した特定の時点からハンドオーバが発生した時点までの間に、ＵＥ１０がＤＣＮを使用した時間であってよい。当該ＤＣＮ期間使用情報は、ＵＥ１０のＤＣＮ使用に関する短期的な傾向を示すことができる。ただし、当然ながら当該ＤＣＮ期間使用情報はこの例に限られない。
【０１１５】
システム間ハンドオーバにおいて、第２ネットワークノード３００（第２通信処理部３０２）は、ＤＣＮ関連情報を含むシステム間ハンドオーバのためのメッセージを第１ネットワークノード２００に送信する。当該メッセージは３ＧＰＰの規格に基づくメッセージであってよい。さらに、当該メッセージはシステム間ハンドオーバのためのメッセージであって、ＵＥ１０のモビリティを管理するためのメッセージであってよい。より具体的には、「Ｆｏｒｗａｒｄ  Ｒｅｌｏｃａｔｉｏｎ  Ｒｅｑｕｅｓｔ」メッセージであってよい。
【０１１６】
なお、当該システム間ハンドオーバのためのメッセージは、システム間ハンドオーバの手順に必須のメッセージであってもよく、非必須のメッセージであってもよい。また、当該システム間ハンドオーバのためのメッセージは、３ＧＰＰの規格に基づかないメッセージであってよい。当該システム間ハンドオーバのためのメッセージは、上記の例に限定されず、システム間ハンドオーバが生じたことに基づいて送信される任意のメッセージであってもよい。
【０１１７】
第１ネットワークノード２００（第１ネットワーク選択部２０３）は、ＤＣＮ関連情報を参照することにより、ＵＥ１０が第２無線通信システム３で使用していたＤＣＮのネットワーク特性に関する情報を得る。そして、第１ネットワークノード２００（第１ネットワーク選択部２０３）は、ＵＥ１０が使用していたＤＣＮのネットワーク特性に対応するネットワークスライスを、第１コアネットワーク２０に含まれる１以上のネットワークスライスから選択する。
【０１１８】
例えば、第１ネットワークノード２００（第１ネットワーク選択部２０３）は、ＵＥ１０のトラヒックが要求する所定の通信要件を満たすネットワーク特性を有するネットワークスライスを選択する。なお、所定の通信要件は、アプリケーション、ユーザ、サービス内容、契約内容、セキュリティレベル、事業態様、運用管理態様、及び、地理的条件などに応じて任意に定められるものであってよい。
【０１１９】
第１ネットワークノード２００（第１ネットワーク選択部２０３）は、ＤＣＮ関連情報に加えて（又は、代えて）、所定の規則、ポリシー、ＵＥのタイプ、ネットワーク負荷、ノード負荷、又は、障害状況などに基づいて、ＵＥ１０が使用するネットワークスライスを選択してもよい。第１ネットワークノード２００（第１ネットワーク選択部２０３）は、最初から第１無線通信システム２を利用する他のＵＥに対しても第１コアネットワーク２０内のネットワークを選択してもよい。具体的には、システム間ハンドオーバをしない他のＵＥのために第１コアネットワーク２０内のネットワークスライスを選択してもよい。
【０１２０】
具体例として、第１ネットワークノード２００（第１ネットワーク選択部２０３）が１以上の選択基準を用いて第２コアネットワーク３０内のコアネットワークを選択する例を説明する。特に、第５〜第８の選択基準を用いる例を示す。なお、第５〜第８の選択基準は、上述した第１〜第４の選択基準に対応するものである。
【０１２１】
第５の選択基準は、ＵＥ１０のトラヒック種別に基づく選択基準である。第１ネットワークノード２００は、ＤＣＮ関連情報に含まれるＤＣＮ識別情報を参照してネットワークスライスを選択してもよい。具体例として、ＤＣＮ識別情報で示されるスライスが「高速」であった場合、第１ネットワークノード２００（第１ネットワーク選択部２０３）は、「高速」に対応する通信要件の範囲に含まれるトラヒックと、同種のトラヒックを扱うネットワークスライスを選択する。例えば、「ｅＭＢＢ」の特性を有するネットワークスライスを選択する。なお、ＤＣＮ関連情報のＤＣＮ識別情報に基づいて判明したトラヒックと同種のトラヒックを扱うネットワークスライスが存在しない場合は、第１ネットワークノード２００（第１ネットワーク選択部２０３）は、デフォルトのネットワークスライスを選択してもよい。あるいは、他のノードに問い合わせることによってネットワークスライスを選択してもよい。
【０１２２】
第６の選択基準は、ＵＥ１０のトラヒックに割り当てられた品質値に基づく選択基準である。第１ネットワークノード２００は、ＤＣＮ関連情報に含まれるＤＣＮ品質情報を参照してコアネットワークを選択してもよい。ＤＣＮ品質情報はＤＣＮに属する通信フローに割り当てられたＱｏＳを示す情報である。ここで、第１ネットワークノード２００は、ネットワークスライスに属する通信フローに割り当てられたＱｏＳを示す情報のリストを有していてもよい。当該リストから、ＤＣＮ品質情報に対応するネットワークスライスの品質情報を検索することにより、ＤＣＮ品質情報に対応する第１コアネットワーク２０内のネットワークスライスを選択してもよい。
【０１２３】
より具体的には、ネットワークスライスに属する通信フローに割り当てられたＱｏＳを示す情報のリストは、５ＱＩのリストである。第１ネットワークノード２００は、ＤＣＮ関連情報に含まれるＤＣＮ品質情報に対応するＱｏＳ特性が、上記５ＱＩのリストのＱｏＳ特性と対応するか否かを判断してもよい。対応するＱｏＳ特性が存在する場合、第１ネットワークノード２００（第１ネットワーク選択部２０３）は当該ＱｏＳ特性に対応するネットワークスライスを選択する。すなわち、ＤＣＮ品質情報のＱＣＩと第１ネットワークノード２００が有する５ＱＩが一対一に対応する場合、該当する５ＱＩをサポートする第１コアネットワーク２０内のネットワークスライスを選択する。一方、ＤＣＮ品質情報のＱＣＩと５ＱＩが一対一に対応しない場合、例えば、複数のＱＣＩと５ＱＩが多対一に対応する場合は、該当する５ＱＩをサポートするネットワークスライスを選択してもよい。もし、対応するネットワークスライスが存在しない場合は、第１ネットワークノード２００は、デフォルトのネットワークスライスを選択してもよいし、予め設定されたネットワークスライスを選択してもよい。あるいは、他のノードに問い合わせることによって第１ネットワークノード２００がネットワークスライスを選択してもよい。
【０１２４】
第７の選択基準は、ＵＥ１０が使用したＤＣＮの使用に関する選択基準であって、ＵＥ１０のＤＣＮの累積使用に関する選択基準である。第１ネットワークノード２００は、ＤＣＮ関連情報に含まれるＤＣＮ使用情報を参照してネットワークスライスを選択してもよい。例えば、ＤＣＮ使用情報は、ＵＥ１０がシステム間ハンドオーバの前に使用していたＤＣＮに関するＤＣＮ累積使用情報であってよい。また、当該ＤＣＮ累積使用情報は、累積使用した時間に関する情報であってもよい。
【０１２５】
第８の選択基準は、ＵＥ１０が使用したＤＣＮの使用に関する選択基準であって、ＵＥ１０のＤＣＮの所定期間内の使用に関する選択基準である。第１ネットワークノード２００は、ＤＣＮ関連情報に含まれるＤＣＮ使用情報を参照してネットワークスライスを選択してもよい。例えば、ＤＣＮ使用情報は、ＵＥ１０がシステム間ハンドオーバの前に使用していたＤＣＮに関するＤＣＮ期間使用情報であってよい。また、当該ＤＣＮ期間使用情報は、所定期間内に使用した時間に関する情報であってもよい。
【０１２６】
ここで、上記第５から第８の選択基準のうちの１つが単独で用いられてもよく、又は、上記第５から第８の選択基準のうちの２つ以上の組合せが用いられてもよい。それぞれの選択基準に重みを付けて、複数の選択基準を同時に適用してもよい。上記第５から第８の選択基準は、当然ながらこの例に限られない。
【０１２７】
また、上記第５から第８の選択基準の設定は、第１ネットワークノード２００が適用する基準を設定してもよいし、他のネットワークノードから設定されてもよい。また、上記第５から第８の選択基準は、トラヒック状況、負荷、又は、障害状況などに応じて動的に更新されてもよい。
【０１２８】
以上のように、第１の実施形態の第２の変形例の上述した例では、ＵＥ１０のシステム間ハンドオーバ後に、ハンドオーバ先の第１ネットワークノード２００がＤＣＮ関連情報を参照することにより、ＵＥ１０に適したネットワークスライスを選択することができる。そのため、システム間ハンドオーバに伴うユーザのＱｏＥ劣化を抑制することが可能となる。
【０１２９】
（３）  第３の変形例
第１の実施形態の第２の変形例の上述した例では、システム間ハンドオーバのためのメッセージにはＤＣＮ関連情報が含まれている。この第１の実施形態の第３の変形例では、さらに当該メッセージに第２ハンドオーバ履歴情報を含む。
【０１３０】
システム間ハンドオーバが生じると、第１ネットワークノード２００（第１通信処理部２０２）は、システム間ハンドオーバのためのメッセージを第２ネットワークノード３００から受信する。この受信したメッセージに上記ＤＣＮ関連情報及び第２ハンドオーバ履歴情報が含まれている場合、第１ネットワークノード２００（第１ネットワーク選択部２０３）は、当該ＤＣＮ関連情報及び第２ハンドオーバ履歴情報に基づいて、第１無線通信システム２内でＵＥ１０が使用するネットワークスライスを、第１コアネットワーク２０に含まれる１以上のネットワークスライスから選択する。
【０１３１】
システム間ハンドオーバは、第２無線通信システム３のソースセルから第１無線通信システム２のターゲットセルへのハンドオーバである。このシステム間ハンドオーバの手順の中で送信されるメッセージには、ソースセルからターゲットセルへのハンドオーバの履歴に関する第２ハンドオーバ履歴情報を含んでもよい。第２ハンドオーバ履歴情報は、ハンドオーバに関する統計情報であってよい。当該ハンドオーバに関する統計情報は、基地局間ハンドオーバに関する統計情報でもよいし、システム間ハンドオーバに関する統計情報でもよい。例えば、第２ハンドオーバ履歴情報は、ハンドオーバが実施される度に記録されるハンドオーバの数を示してもよい。ここで、ハンドオーバ手順は何らかの原因によって失敗することがあり得る。よって、第２ハンドオーバ履歴情報は、ＵＥ１０が第１無線通信システム２のターゲットセルへハンドオーバする際に、ハンドオーバ手順が成功又は失敗する可能性を示してもよい。
【０１３２】
例えば、第２ハンドオーバ履歴情報は、ソースセルからターゲットセルへのハンドオーバ履歴に関する情報のみを含んでもよく、ソースセルから２以上の近隣セルへのハンドオーバ履歴に関する情報を含んでもよい。より具体的には、第２ハンドオーバ履歴情報は、ハンドオーバの成功の可能性を示す情報であってよい。例えば、第２ハンドオーバ履歴情報は、所定の期間におけるハンドオーバの成功数及び失敗数を示してもよい。より具体的には、ターゲットセル毎に、総ハンドオーバ数を分母としてハンドオーバの成功数及び失敗数などから求められるハンドオーバの第２の成功率情報を示してもよい。なお、第２ハンドオーバ履歴情報は、ハンドオーバの累積回数又はハンドオーバの頻度に関する情報などを含んでもよい。当然ながら第２ハンドオーバ履歴情報はこの例に限られない。
【０１３３】
第２ハンドオーバ履歴情報は、第２無線通信システム３内において取得され得る。第２ハンドオーバ履歴情報は、第２無線通信システム３の無線アクセスネットワークによって取得されてもよいし、第２コアネットワーク３０内のネットワークノードによって取得されてもよい。より具体的には、第２ハンドオーバ履歴情報は、第２無線通信システム３の第２基地局５０によって収集されてもよい。第２ネットワークノード３００（第２情報取得部３０１）は、当該第２ハンドオーバ履歴情報を第２基地局５０から取得してもよい。あるいは、第２ハンドオーバ履歴情報はＵＥ１０によって収集され、第２ネットワークノード３００（第２情報取得部３０１）がＵＥ１０から取得してもよい。
【０１３４】
一方、第１ネットワークノード２００は、システム間ハンドオーバのためのメッセージに第２ハンドオーバ履歴情報が含まれているか否かを判定する。第１ネットワークノード２００（第１ネットワーク選択部２０３）は、ＤＣＮ関連情報と第２ハンドオーバ履歴情報とに基づいて、第１無線通信システム２でＵＥ１０が使用するネットワークスライスを選択する。例えば、第１ネットワークノード２００は、ＤＣＮ関連情報に基づいて選択したネットワークスライスに対応するトラヒックが、第２ハンドオーバ履歴情報が示すハンドオーバ成功の可能性を許容できるか否かを判断する。
【０１３５】
より具体的には、システム間ハンドオーバの完了までに要する時間が所定の時間より大きい場合、ＵＥ１０のトラヒックが要求する通信要件を満たすサービスを、第１ネットワークノード２００が選択するネットワークスライスにおいて継続することができないと第１ネットワークノード２００が判断してもよい。
【０１３６】
したがって、第１ネットワークノード２００は、ＤＣＮ関連情報に基づいてＵＥ１０の使用に適したネットワークスライスを選択するとともに、第２ハンドオーバ履歴情報に基づいてＵＥ１０のサービスを維持できるか否かを判断することができる。すなわち、第１ネットワークノード２００は、第２ハンドオーバ履歴情報に基づいてＵＥ１０の使用に適したネットワークスライスの選択を保証することができる。
【０１３７】
第３の変形例によれば、第１ネットワークノード２００は、ハンドオーバの成功の可能性に基づいてＵＥ１０の使用に適したネットワークスライスを選択することができ、システム間ハンドオーバに伴うユーザのＱｏＥ劣化を抑制することが可能となる。
【０１３８】
＜＜３．  第２の実施形態＞＞
図１２〜１４を参照し、第２の実施形態を説明する。
＜３．１  システム構成＞
図１２は、第２の実施形態に係る基本的なシステム構成を示す図である。第２の実施形態に係る基本的なシステム構成は、第１ネットワークノード２００と第２ネットワークノード３００を含む。第１ネットワークノード２００は、システム間ハンドオーバのためのメッセージであって、前記ネットワークスライス関連情報５００を含む当該メッセージを、第２ネットワークノード３００に送信する。
【０１３９】
＜３．２  第１ネットワークノード２００の構成＞
図１３は、第２の実施形態に係る第１ネットワークノード２００を示す図である。第１ネットワークノード２００は、１以上の機能部を有する。例えば、第１ネットワークノード２００は第１情報取得部２０１及び第１通信処理部２０２を有している。当然ながら、第１ネットワークノード２００は他の機能部を有していてもよい。
【０１４０】
第１情報取得部２０１は、ＵＥ１０が使用する第１コアネットワーク２０に関する所定の情報を取得する。例えば、第１情報取得部２０１が取得する所定の情報は、第１コアネットワーク２０に含まれるネットワークスライスに関する情報である。より具体的には、ネットワークスライスに関する情報は、第１無線通信システム２内でＵＥ１０が使用するネットワークスライスに関する情報であり、その情報の数は１以上であり得る。第１の実施形態では、このＵＥ１０が使用するネットワークスライスに関する情報を、例えばネットワークスライス関連情報（Network  Slicing  Related  Info）５００と呼ぶ。
【０１４１】
また、第１情報取得部２０１が行う取得は、第１ネットワークノード２００の内部に存在する所定のモジュールや記憶手段から取得することであってもよい。あるいは、第１情報取得部２０１が行う取得は、第１ネットワークノード２００の外部の装置（又はノード）からの取得であってもよい。
【０１４２】
第１通信処理部２０２は、ＵＥ１０、第１基地局４０、第１無線通信システム２内のネットワークノード、及び、第２無線通信システム３内のネットワークノードとの通信処理を行う。例えば、第１通信処理部２０２は、第２無線通信システム３内の所定のネットワークノードとシステム間ハンドオーバのための通信処理を行う。より具体的には、第１通信処理部２０２は、第２無線通信システム３内の第２ネットワークノード３００と１以上のメッセージを送受信することにより、システム間ハンドオーバのための通信処理を行う。
【０１４３】
＜３．３  第２ネットワークノード３００の構成＞
図１４は、第１の実施形態に係る第２ネットワークノード３００を示す図である。第２ネットワークノード３００は、１以上の機能部を有する。例えば、第２ネットワークノード３００は第２通信処理部３０２及び第２ネットワーク選択部３０３を有している。当然ながら、第２ネットワークノード３００は他の機能部を有していてもよい。
【０１４４】
第２ネットワーク選択部３０３は、ＵＥ１０が使用するコアネットワークを選択する。例えば、１以上の所定の情報に基づいてＵＥ１０に適したコアネットワークを選択する。当該１以上の所定の情報は、第２ネットワークノード３００の外部から取得するものであってもよいし、第２ネットワークノード３００の内部から取得するものであってもよい。より具体的には、第２ネットワーク選択部３０３は、ＵＥ１０のトラヒックが要求する通信要件に関する情報を参照し、当該ＵＥ１０に適したコアネットワークを第２コアネットワーク３０に含まれる１以上のコアネットワークから選択する。あるいは、第２コアネットワーク３０内の障害状況や負荷状況などに基づいて、ＵＥ１０が使用するコアネットワークを選択してもよい。
【０１４５】
第２通信処理部３０２は、ＵＥ１０、第２基地局５０、第２無線通信システム３内のネットワークノード、及び、第１無線通信システム２内のネットワークノードとの通信処理を行う。例えば、第２通信処理部３０２は、第１無線通信システム２内のネットワークノードとシステム間ハンドオーバのための通信処理を行う。より具体的には、第２通信処理部３０２は、第１無線通信システム２内の第１ネットワークノード２００と１以上のメッセージを送受信することにより、システム間ハンドオーバのための通信処理を行う。
【０１４６】
＜３．４  技術的特徴＞
図１２〜１４を参照し、第２の実施形態の技術的特徴を説明する。
【０１４７】
第１無線通信システムの第１ネットワークノード２００は、第１無線通信システム２内で端末装置（ＵＥ１０）が使用するネットワークスライスに関するネットワークスライス関連情報５００を取得する情報取得部（第１情報取得部２０１）と、前記第１無線通信システム２から第２無線通信システム３への端末装置（ＵＥ１０）のシステム間ハンドオーバのためのメッセージであって、前記ネットワークスライス関連情報５００を含む当該メッセージを、前記第２無線通信システム３の第２ネットワークノード３００に送信する第１通信処理部２０２と、を備える。
【０１４８】
第２無線通信システム３の第２ネットワークノード３００は、
第１無線通信システム２から前記第２無線通信システム３への端末装置（ＵＥ１０）のシステム間ハンドオーバのためのメッセージであって、前記第１無線通信システム２内で前記端末装置（ＵＥ１０）が使用するネットワークスライスに関するネットワークスライス関連情報５００を含む当該メッセージを、前記第１無線通信システム２の第１ネットワークノード２００から受信する通信処理部（第２通信処理部３０２）と、前記ネットワークスライス関連情報５００に基づいて、前記第２無線通信システム３内で前記端末装置（ＵＥ１０）が使用するコアネットワークを選択するネットワーク選択部（第２ネットワーク選択部３０３）と、を備える。
【０１４９】
第２ネットワークノード３００（第２ネットワーク選択部３０３）は、ネットワークスライス関連情報５００を参照することにより、ＵＥ１０が第1無線通信システム２で使用していたネットワークスライスのネットワーク特性に関する情報を得る。そして、第２ネットワークノード３００（第２ネットワーク選択部３０３）は、ＵＥ１０が使用していたネットワークスライスのネットワーク特性に対応するコアネットワークを、第２コアネットワーク３０に含まれる１以上のコアネットワークから選択する。
【０１５０】
以上のように、第２の実施形態の上述した例では、ＵＥ１０のシステム間ハンドオーバ後に、ハンドオーバ先の第２ネットワークノード３００がネットワークスライス関連情報５００を参照することにより、ＵＥ１０に適したコアネットワークを選択することができる。そのため、システム間ハンドオーバに伴うユーザのＱｏＥ劣化を抑制することが可能となる。
【０１５１】
＜＜４．  その他の実施形態＞＞
上記第１の実施形態とその変形例１〜３及び第２の実施形態は、トラヒックが１つのネットワークスライス又は１つのＤＣＮにのみ属することを前提として説明した。しかし、当該トラヒックが複数のスライス、又は、複数のＤＣＮにより共有される場合にも、同様の手法を適用することが可能である。
【０１５２】
なお、本明細書に記載されているＵＥ１０は、特定の無線端末装置に限られない。ＵＥ１０はユーザの端末装置であってよいが、当然ながら特定用途の装置に限られない。例えばＵＥ１０は、携帯端末、スマートフォン、パーソナルコンピュータ、デジタルカメラ、テレビ機器、オーディオ機器、家電機器、医療機器、ＩｏＴデバイス、ドローン端末、車載端末などであってよい。また、ＵＥ１０は、非３ＧＰＰのアクセスネットワークを介して無線通信システムを利用してもよい。
【０１５３】
本明細書に記載されている無線アクセスネットワークは、３ＧＰＰの規格に準拠したものでもよいし、３ＧＰＰの規格に非準拠のものでもよい。例えば、無線アクセスネットワークは、ＩＥＥＥ８０２．１１やＩＥＥＥ８０２．１５の規格に準拠した無線アクセスネットワーク及びその上位ネットワークを、３ＧＰＰの規格に非準拠の無線通信システムとしてもよい。
【０１５４】
また、本明細書に記載されているコアネットワークは、無線通信システムに含まれるコアネットワークに限られない。ネットワークスライス技術によって複数のスライスを有するネットワークに本発明を適用することができる。例えば、ネットワークスライス技術によって複数のスライスを有するネットワークを構成する通信システムが複数存在する場合、一方の通信システムを利用するユーザのトラヒックを他方の通信システムに移行させる態様に適用できる。例えば、異なる通信事業者が管理する通信システム間の移行に適用してもよい。あるいは、現用通信システムと予備用通信システムとの間の移行に適用してもよい。
【０１５５】
以上、本発明の第１の実施形態とその変形例１〜３及び第２の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１５６】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１５７】
また、本明細書において説明したネットワークノードの構成要素を備える装置が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このようなノード、モジュール、方法、プログラム、及びコンピュータに読み取り可能な非一時的記録媒体も本発明に含まれる。
【０１５８】
上記実施形態の一部又は全部は、以下の付記のようにも記載され得る。ただし、以下には限られない。
【０１５９】
（付記１）
第１無線通信システムの第１ネットワークノードであって、
前記第１無線通信システム内で端末装置が使用するネットワークスライスに関するネットワークスライス関連情報を取得する情報取得部と、
前記第１無線通信システムから第２無線通信システムへの端末装置のシステム間ハンドオーバのためのメッセージであって、前記ネットワークスライス関連情報を含む当該メッセージを、前記第２無線通信システムの第２ネットワークノードに送信する第１通信処理部と、
を備える第１ネットワークノード。
【０１６０】
（付記２）
前記ネットワークスライス関連情報は、前記ネットワークスライスの識別情報、前記ネットワークスライスに属する通信フローに割り当てられたＱｏＳ（Ｑｕａｌｉｔｙ  ｏｆ  Ｓｅｒｖｉｃｅ）を示す品質情報、及び、前記ネットワークスライスの使用に関する使用情報、のうちいずれか１つ以上の情報を含む、付記１に記載の第１ネットワークノード。
【０１６１】
（付記３）
前記使用情報は、前記ネットワークスライスが使用された累積時間を示す累積使用情報、及び、ハンドオーバ前の所定期間において前記ネットワークスライスが使用された時間を示す期間使用情報、のうちいずれか１つ以上の情報を含む、付記２に記載の第１ネットワークノード。
【０１６２】
（付記４）
前記システム間ハンドオーバは、前記第１無線通信システムのソースセルから前記第２無線通信システムのターゲットセルへのハンドオーバであり、
前記メッセージは、前記ソースセルからのハンドオーバの履歴に関するハンドオーバ履歴情報を含む、付記１〜３のいずれか１項に記載の第１ネットワークノード。
【０１６３】
（付記５）
前記ハンドオーバ履歴情報は、前記ソースセルから前記ソースセルの近隣セルへのハンドオーバの成功率を示す成功率情報を含む、付記４に記載の第１ネットワークノード。
【０１６４】
（付記６）
前記ハンドオーバ履歴情報は、前記ソースセルの複数の近隣セルの各々について、複数の前記成功率情報を含む、付記５に記載の第１ネットワークノード。
【０１６５】
（付記７）
前記ハンドオーバ履歴情報は、前記第１無線通信システムの無線アクセスネットワーク内のノードから受信する、付記４〜６のいずれか１項に記載の第１ネットワークノード。
【０１６６】
（付記８）
前記第１無線通信システムは、５Ｇシステムであり、
前記第２無線通信システムは、ＥＰＳ（Ｅｖｏｌｖｅｄ  Ｐａｃｋｅｔ  Ｓｙｓｔｅｍ）である、
付記１〜７のいずれか１項に記載の第１ネットワークノード。
【０１６７】
（付記９）
前記第１ネットワークノードは、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）であり、
前記第２ネットワークノードは、ＭＭＥ（Ｍｏｂｉｌｉｔｙ  Ｍａｎａｇｅｍｅｎｔ  Ｅｎｔｉｔｙ）である、
付記１〜８のいずれか１項に記載の第１ネットワークノード。
【０１６８】
（付記１０）
前記メッセージは、Ｆｏｒｗａｒｄ  Ｒｅｌｏｃａｔｉｏｎ  Ｒｅｑｕｅｓｔメッセージである、付記１〜９のいずれか１項に記載の第１ネットワークノード。
【０１６９】
（付記１１）
第２無線通信システムの第２ネットワークノードであって、
第１無線通信システムから前記第２無線通信システムへの端末装置のシステム間ハンドオーバのためのメッセージであって、前記第１無線通信システム内で前記端末装置が使用するネットワークスライスに関するネットワークスライス関連情報を含む当該メッセージを、前記第１無線通信システムの第１ネットワークノードから受信する通信処理部と、
前記ネットワークスライス関連情報に基づいて、前記第２無線通信システム内で前記端末装置が使用するコアネットワークを選択するネットワーク選択部と、
を備える第２ネットワークノード。
【０１７０】
（付記１２）
前記システム間ハンドオーバは、前記第１無線通信システムのソースセルから前記第２無線通信システムのターゲットセルへのハンドオーバであり、
前記メッセージは、前記ソースセルからのハンドオーバの履歴に関するハンドオーバ履歴情報を含み、
前記ネットワーク選択部は、前記ネットワークスライス関連情報と前記ハンドオーバ履歴情報とに基づいて、前記第２無線通信システム内で前記端末装置が使用するコアネットワークを選択する、
付記１１に記載の第２ネットワークノード。
【０１７１】
この出願は、２０１８年１０月１８日に出願された日本出願特願２０１８−１９６７６０を基礎とする優先権を主張し、その開示の全てをここに取り込む。
【産業上の利用可能性】
【０１７２】
無線通信システムにおける、ネットワークノード、その通信方法、プログラム、及び、記録媒体に利用することができる。
【符号の説明】
【０１７３】
１        システム
２        第１無線通信システム
３        第２無線通信システム
１０      ＵＥ
２０      第１コアネットワーク
３０      第２コアネットワーク
４０      第１基地局
５０      第２基地局
２１〜２３  ネットワークスライス
３１〜３３  ＤＣＮ
２００      第１ネットワークノード
３００      第２ネットワークノード
５００      ネットワークスライス関連情報
９００    ハンドオーバ履歴情報
【図１】
2020079968.tif 000003
【図２】
2020079968.tif 000004
【図３】
2020079968.tif 000005
【図４】
2020079968.tif 000006
【図５】
2020079968.tif 000007
【図６】
2020079968.tif 000008
【図７】
2020079968.tif 000009
【図８】
2020079968.tif 000010
【図９】
2020079968.tif 000011
【図１０】
2020079968.tif 000012
【図１１】
2020079968.tif 000013
【図１２】
2020079968.tif 000014
【図１３】
2020079968.tif 000015
【図１４】
2020079968.tif 000016
【手続補正書】
【提出日】令和3年4月5日(2021.4.5)
【手続補正１】
【補正対象書類名】特許請求の範囲
【補正対象項目名】全文
【補正方法】変更
【補正の内容】
【特許請求の範囲】
【請求項１】
第１無線通信システムの第１ネットワークノードであって、
前記第１無線通信システム内で端末装置が使用するネットワークスライスに関するネットワークスライス関連情報を取得する情報取得部と、
前記第１無線通信システムから第２無線通信システムへの端末装置のシステム間ハンドオーバのためのメッセージであって、前記ネットワークスライス関連情報を含む当該メッセージを、前記第２無線通信システムの第２ネットワークノードに送信する第１通信処理部と、
を備える第１ネットワークノード。
【請求項２】
前記ネットワークスライス関連情報は、前記ネットワークスライスの識別情報、前記ネットワークスライスに属する通信フローに割り当てられたＱｏＳ（Ｑｕａｌｉｔｙ  ｏｆ  Ｓｅｒｖｉｃｅ）を示す品質情報、及び、前記ネットワークスライスの使用に関する使用情報、のうちいずれか１つ以上の情報を含む、請求項１に記載の第１ネットワークノード。
【請求項３】
前記使用情報は、前記ネットワークスライスが使用された累積時間を示す累積使用情報、及び、ハンドオーバ前の所定期間において前記ネットワークスライスが使用された時間を示す期間使用情報、のうちいずれか１つ以上の情報を含む、請求項２に記載の第１ネットワークノード。
【請求項４】
前記システム間ハンドオーバは、前記第１無線通信システムのソースセルから前記第２無線通信システムのターゲットセルへのハンドオーバであり、
前記メッセージは、前記ソースセルからのハンドオーバの履歴に関するハンドオーバ履歴情報を含む、請求項１〜３のいずれか１項に記載の第１ネットワークノード。
【請求項５】
前記ハンドオーバ履歴情報は、前記ソースセルから前記ソースセルの近隣セルへのハンドオーバの成功率を示す成功率情報を含む、請求項４に記載の第１ネットワークノード。
【請求項６】
前記ハンドオーバ履歴情報は、前記第１無線通信システムの無線アクセスネットワーク内のノードから受信する、請求項４又は５に記載の第１ネットワークノード。
【請求項７】
第２無線通信システムの第２ネットワークノードであって、
第１無線通信システムから前記第２無線通信システムへの端末装置のシステム間ハンドオーバのためのメッセージであって、前記第１無線通信システム内で前記端末装置が使用するネットワークスライスに関するネットワークスライス関連情報を含む当該メッセージを、前記第１無線通信システムの第１ネットワークノードから受信する通信処理部と、
前記ネットワークスライス関連情報に基づいて、前記第２無線通信システム内で前記端末装置が使用するコアネットワークを選択するネットワーク選択部と、
を備える第２ネットワークノード。
【請求項８】
前記システム間ハンドオーバは、前記第１無線通信システムのソースセルから前記第２無線通信システムのターゲットセルへのハンドオーバであり、
前記メッセージは、前記ソースセルからのハンドオーバの履歴に関するハンドオーバ履歴情報を含み、
前記ネットワーク選択部は、前記ネットワークスライス関連情報と前記ハンドオーバ履歴情報とに基づいて、前記第２無線通信システム内で前記端末装置が使用するコアネットワークを選択する、
請求項７に記載の第２ネットワークノード。
【請求項９】
第１無線通信システムの第１ネットワークノードの通信方法であって、
前記第１無線通信システム内で端末装置が使用するネットワークスライスに関するネットワークスライス関連情報を取得し、
前記第１無線通信システムから第２無線通信システムへの端末装置のシステム間ハンドオーバのためのメッセージであって、前記ネットワークスライス関連情報を含む当該メッセージを、前記第２無線通信システムの第２ネットワークノードに送信する、
ことを含む第１ネットワークノードの通信方法。
【請求項１０】
第２無線通信システムの第２ネットワークノードの通信方法であって、
第１無線通信システムから前記第２無線通信システムへの端末装置のシステム間ハンドオーバのためのメッセージであって、前記第１無線通信システム内で前記端末装置が使用するネットワークスライスに関するネットワークスライス関連情報を含む当該メッセージを、前記第１無線通信システムの第１ネットワークノードから受信し、
前記ネットワークスライス関連情報に基づいて、前記第２無線通信システム内で前記端末装置が使用するコアネットワークを選択する、
ことを含む第２ネットワークノードの通信方法。
【手続補正２】
【補正対象書類名】明細書
【補正対象項目名】００４７
【補正方法】変更
【補正の内容】
【００４７】
また、当該第１ネットワークノード２００は、ハードウェアで実現されてもよいし、ソフトウェアとして実現されてもよい。ソフトウェアとして実現する具体例として、ネットワーク機能の仮想化技術を用いて、第１ネットワークノード２００を仮想化ネットワークノードとして構成してもよい。さらに仮想化ネットワークノードは、単一の物理装置上に構成されてもよいし複数の物理装置に分散配置されてもよい。当該仮想化ネットワークノードは、所定の管理装置から管理されてもよい。当然ながら、第１ネットワークノード２００が有する構成部はこの例に限定されない。
【手続補正３】
【補正対象書類名】明細書
【補正対象項目名】００５２
【補正方法】変更
【補正の内容】
【００５２】
また、第２ネットワークノード３００は、ハードウェアで実現されてもよいし、ソフトウェアとして実現されてもよい。ソフトウェアとして実現する具体例として、ネットワーク機能の仮想化技術を用いて、第２ネットワークノード３００を仮想化ネットワークノードとして構成してもよい。さらに仮想化ネットワークノードは、単一の物理装置上に構成されてもよいし複数の物理装置に分散配置されてもよい。当該仮想化ネットワークノードは、所定の管理装置から管理されてもよい。当然ながら、第２ネットワークノード３００が有する構成部はこの例に限定されない。
【手続補正４】
【補正対象書類名】明細書
【補正対象項目名】０１４０
【補正方法】変更
【補正の内容】
【０１４０】
第１情報取得部２０１は、ＵＥ１０が使用する第１コアネットワーク２０に関する所定の情報を取得する。例えば、第１情報取得部２０１が取得する所定の情報は、第１コアネットワーク２０に含まれるネットワークスライスに関する情報である。より具体的には、ネットワークスライスに関する情報は、第１無線通信システム２内でＵＥ１０が使用するネットワークスライスに関する情報であり、その情報の数は１以上であり得る。第２の実施形態では、このＵＥ１０が使用するネットワークスライスに関する情報を、例えばネットワークスライス関連情報（Network  Slicing  Related  Info）５００と呼ぶ。
【手続補正５】
【補正対象書類名】明細書
【補正対象項目名】０１４３
【補正方法】変更
【補正の内容】
【０１４３】
＜３．３  第２ネットワークノード３００の構成＞
図１４は、第２の実施形態に係る第２ネットワークノード３００を示す図である。第２ネットワークノード３００は、１以上の機能部を有する。例えば、第２ネットワークノード３００は第２通信処理部３０２及び第２ネットワーク選択部３０３を有している。当然ながら、第２ネットワークノード３００は他の機能部を有していてもよい。
【国際調査報告】
2020079968.tif 000017
2020079968.tif 000018
2020079968.tif 000019
2020079968.tif 000020